(57)【要約】【課題】  デュアル無線端末の１ｘ方式と１ｘＥＶ−ＤＯ方式のシステムタイミング制御手段を共通にすることにより、ハード構成の簡便化、システムタイミング抽出の高速化、電池持ちの向上などを行うことができるデュアル無線端末およびデュアル無線システムを提供する。【解決手段】  本発明が適用されたデュアル無線端末は、共通システムタイミング管理部３３、共通システムタイミング維持部３４を備える。共通システムタイミング管理部３３は、１ｘの初期捕捉において抽出したシステムタイミングを共通システムタイミング維持部３４に記憶する。そして、共通システムタイミング管理部３３は、この記憶したシステムタイミングを基に、１ｘＥＶ−ＤＯの初期捕捉においてそのまま使用する。【選択図】  図１０
2005260425.tif 000002
【特許請求の範囲】
【請求項１】
第１無線方式のセルから送信される第１無線信号を受信して第１無線方式のシンクメッセージなどの受信データを復調する第１受信手段と、
前記第１無線方式のセルと同期が取れた第２無線方式のセルから送信される第２無線信号を受信して第２無線方式のシンクメッセージなどの受信データを復調する第２受信手段と、
前記第１受信手段と前記第２受信手段の受信タイミングを制御する共通のシステムタイミング制御手段と
を具備することを特徴とするデュアル無線端末装置。
【請求項２】
第１無線方式のセルから送信される第１無線信号を受信して第１無線方式のシンクメッセージなどの受信データを復調する第１受信手段と、
前記第１無線方式のセルと同期が取れた第２無線方式のセルから送信される第２無線信号を受信して第２無線方式のシンクメッセージなどの受信データを復調する第２受信手段と、
第１送信データを変調して前記第１無線方式のセルへ送信する第１送信手段と、
第２送信データを変調して前記第２無線方式のセルへ送信する第２送信手段と、
前記第１受信手段と前記第２受信手段の受信タイミング、及び前記第１送信手段と前記第２送信手段の送信タイミングを制御する共通のシステムタイミング制御手段と
を具備することを特徴とするデュアル無線端末装置。
【請求項３】
前記システムタイミング制御手段は、
前記第１無線方式のシンクメッセージを受信して第１のシステム同期確立を行って第１のシステムタイミングをタイミング維持回路に記憶し、
前記第２無線方式の第２のシステム同期確立用に前記タイミング維持回路を共有することを特徴とする請求項１又は請求項２に記載のデュアル無線端末装置。
【請求項４】
前記システムタイミング制御手段は、
前記第１無線方式のシンクメッセージを受信して第１のシステム同期確立を行って第１のシステムタイミングをタイミング維持回路に記憶し、
前記第１のシステム同期確立後は、前記第２無線方式のシンクメッセージによる第２のシステム同期確立を行わないで、前記タイミング維持回路に記憶した第１のシステムタイミングにより第２のシステム同期確立を行うことを特徴とする請求項１又は請求項２に記載のデュアル無線端末装置。
【請求項５】
システム同期が相互に取れた第１無線方式のセルと第２無線方式のセルとデュアル無線端末を有するデュアル無線システムにあって、
前記第１無線方式のセル及び当該第１無線方式のセルと同じ場所に位置する前記第２無線方式のセルに対して、セルを判別するためのＰＮオフセットとして同じＰＮオフセットを割り当てる
ことを特徴とするデュアル無線システム。
【請求項６】
システム同期が相互に取れた第１無線方式のセルと第２無線方式のセルとデュアル無線端末を有するデュアル無線システムにあって、
前記第１無線方式のセル及び当該第１無線方式のセルと同じ場所に位置する前記第２無線方式のセルに対して、セルを判別するためのＰＮオフセットとして同じＰＮオフセットを割り当て、
前記デュアル無線端末装置は、
第１無線方式のセルから送信される第１無線信号を受信して第１無線方式のシンクメッセージなどの受信データを復調する第１受信手段と、
前記第２無線方式のセルから送信される第２無線信号を受信して第２無線方式のシンクメッセージなどの受信データを復調する第２受信手段と、
前記第１受信手段と前記第２受信手段の受信タイミングを制御する共通のシステムタイミング制御手段と
を具備することを特徴とするデュアル無線システム。
【請求項７】
システム同期が相互に取れた第１無線方式のセルと第２無線方式のセルとデュアル無線端末を有するデュアル無線システムにあって、
前記第１無線方式のセル及び当該第１無線方式のセルと同じ場所に位置する前記第２無線方式のセルに対して、セルを判別するためのＰＮオフセットとして同じＰＮオフセットを割り当て、
前記デュアル無線端末装置は、
第１無線方式のセルから送信される第１無線信号を受信して第１無線方式のシンクメッセージなどの受信データを復調する第１受信手段と、
前記第２無線方式のセルから送信される第２無線信号を受信して第２無線方式のシンクメッセージなどの受信データを復調する第２受信手段と、
第１送信データを変調して前記第１無線方式のセルへ送信する第１送信手段と、
第２送信データを変調して前記第２無線方式のセルへ送信する第２送信手段と、
前記第１受信手段と前記第２受信手段の受信タイミング、及び前記第１送信手段と前記第２送信手段の送信タイミングを制御する共通のシステムタイミング制御手段と
を具備することを特徴とするデュアル無線システム。
【請求項８】
前記システムタイミング制御手段は、
前記第１無線方式のシンクメッセージを受信して第１のシステム同期確立を行って第１のシステムタイミングをタイミング維持回路に記憶し、
前記第２無線方式の第２のシステム同期確立用に前記タイミング維持回路を共有することを特徴とする請求項６又は請求項７に記載のデュアル無線システム。
【請求項９】
前記システムタイミング制御手段は、
前記第１無線方式のシンクメッセージを受信して第１のシステム同期確立を行って第１のシステムタイミングをタイミング維持回路に記憶し、
前記第１のシステム同期確立後は、前記第２無線方式のシンクメッセージによる第２のシステム同期確立を行わないで、前記タイミング維持回路に記憶した第１のシステムタイミングにより第２のシステム同期確立を行うことを特徴とする請求項６又は請求項７に記載のデュアル無線システム。
【請求項１０】
第１無線方式のセルから送信される第１無線信号を受信して第１無線方式のシンクメッセージなどの受信データを復調する第１受信手段と、
前記第１無線方式のセルと同期が取れ、更に前記第１無線方式のセルと同じ場所に位置して同じＰＮオフセットが割り当てられた第２無線方式のセルから送信される第２無線信号を受信して第２無線方式のシンクメッセージなどの受信データを復調する第２受信手段と、
前記第１受信手段と前記第２受信手段の受信タイミングを制御する共通のシステムタイミング制御手段と
を具備することを特徴とするデュアル無線端末装置。
【請求項１１】
第１無線方式のセルから送信される第１無線信号を受信して第１無線方式のシンクメッセージなどの受信データを復調する第１受信手段と、
前記第１無線方式のセルと同期が取れ、更に前記第１無線方式のセルと同じ場所に位置して同じＰＮオフセットが割り当てられた第２無線方式のセルから送信される第２無線信号を受信して第２無線方式のシンクメッセージなどの受信データを復調する第２受信手段と、
第１送信データを変調して前記第１無線方式のセルへ送信する第１送信手段と、
第２送信データを変調して前記第２無線方式のセルへ送信する第２送信手段と、
前記第１受信手段と前記第２受信手段の受信タイミング、及び前記第１送信手段と前記第２送信手段の送信タイミングを制御する共通のシステムタイミング制御手段と
を具備することを特徴とするデュアル無線端末装置。
【請求項１２】
前記システムタイミング制御手段は、
前記第１無線方式のシンクメッセージを受信して第１のシステム同期確立を行って第１のシステムタイミングをタイミング維持回路に記憶し、
前記第２無線方式の第２のシステム同期確立用に前記タイミング維持回路を共有することを特徴とする請求項１０又は請求項１１に記載のデュアル無線端末装置。
【請求項１３】
前記システムタイミング制御手段は、
前記第１無線方式のシンクメッセージを受信して第１のシステム同期確立を行って第１のシステムタイミングをタイミング維持回路に記憶し、
前記第１のシステム同期確立後は、前記第２無線方式のシンクメッセージによる第２のシステム同期確立を行わないで、前記タイミング維持回路に記憶した第１のシステムタイミングにより第２のシステム同期確立を行うことを特徴とする請求項１０又は請求項１１に記載のデュアル無線端末装置。
【発明の詳細な説明】
【技術分野】
【０００１】
本発明は、２つの無線接続方式を持つデュアル無線端末とその無線システムに関するもので、特に、ＣＤＭＡ（Ｃｏｄｅ  Ｄｉｖｉｓｉｏｎ  Ｍｕｌｔｉｐｌｅ  Ａｃｃｅｓｓ）２０００において、１ｘ通信方式と１ｘＥＶ−ＤＯ（Ｅｖｏｌｕｔｉｏｎ  Ｄａｔａ  Ｏｎｌｙ）通信方式の２つの無線接続方式を持つデュアル無線端末とデュアル無線システムに関する。
【背景技術】
【０００２】
（従来例１）
ＣＤＭＡ２０００において、１ｘ通信方式（以下、１ｘと称する）では、音声サービス、及びＳＭＳ（Ｓｈｏｒｔ  Ｍｅｓｓａｇｅ  Ｓｅｒｖｉｃｅ）や下り１００ｋｂｐｓ程度のパケットサービスが行われる。１ｘＥＶ−ＤＯ通信方式（以下、１ｘＥＶ−ＤＯと称する）では、下り１００ｋｂｐｓ以上のパケットサービス専用で使用される。１ｘＥＶ−ＤＯのパケットサービスの無線利用効率を向上させるために、１ｘと１ｘＥＶ−ＤＯは異なる周波数でそれぞれのサービスが提供される。  
この１ｘと１ｘＥＶ−ＤＯの両方の機能を備えるデュアル無線端末は、１ｘと１ｘＥＶ−ＤＯそれぞれの回線確立の高速化や、１ｘと１ｘＥＶ−ＤＯの同時待ち受けでの電池持ちの向上などが要求される。
【０００３】
図２３〜図２５は、従来例１のデュアル無線端末の説明図である。図２３は、従来例１のデュアル無線端末の送信受信部の全体ブロック図、図２４は、従来例１のデュアル無線端末の動作を示すゼネラルフローチャート、図２５は、従来例１のデュアル無線端末の１ｘＥＶ−ＤＯ初期捕捉の詳細フローチャートである。
【０００４】
図２３の全体ブロック図により、１ｘと１ｘＥＶ−ＤＯのそれぞれのサービスにおける構成について以下に説明する。  
１ｘサービス受信の構成は、アンテナ７１、ＲＦ受信部７２、１ｘＲＡＫＥ受信部７３、復号部７５、１ｘセル情報データベース８１、１ｘ制御部８２、１ｘシステムタイミング管理部８３、１ｘシステムタイミング維持部８４、１ｘページングカウンタ８５、１ｘ受信タイミング設定部８６などにより構成される。
【０００５】
１ｘＥＶ−ＤＯサービス受信の構成は、アンテナ７１、ＲＦ受信部７２、１ｘＥＶ−ＤＯ  ＲＡＫＥ受信部７４、復号部７５、１ｘＥＶ−ＤＯセル情報データベース８８、１ｘＥＶ−ＤＯ制御部８９、１ｘＥＶ−ＤＯシステムタイミング管理部９０、１ｘＥＶ−ＤＯシステムタイミング維持部９１、１ｘＥＶ−ＤＯページングカウンタ９２、１ｘＥＶ−ＤＯ受信タイミング設定部９３などにより構成される。
【０００６】
１ｘサービス送信の構成は、アンテナ７１、ＲＦ送信部７９、１ｘ拡散部７７、符号化器７６、１ｘシステムタイミング管理部８３、１ｘシステムタイミング維持部８４、１ｘ送信タイミング設定部８７などにより構成される。
【０００７】
１ｘＥＶ−ＤＯサービス送信の構成は、アンテナ７１、ＲＦ送信部７９、１ｘＥＶ−ＤＯ拡散部７８、符号化器７６、１ｘＥＶ−ＤＯシステムタイミング管理部９０、１ｘＥＶ−ＤＯシステムタイミング維持部９１、１ｘＥＶ−ＤＯ送信タイミング設定部９４などにより構成される。
【０００８】
上記の構成において、システムタイミングに関する部分では、１ｘ用の１ｘシステムタイミング管理部８３および１ｘシステムタイミング維持部８４と、１ｘＥＶ−ＤＯ用の１ｘＥＶ−ＤＯシステムタイミング管理部９０および１ｘＥＶ−ＤＯシステムタイミング維持部９１とをそれぞれ備える。そして、それぞれの間に相関関係はなく、それぞれが独立して、システムタイミング抽出を行う。
【０００９】
図２４は、従来のデュアル無線端末の制御部８０の動作を示すゼネラルフローチャートであり、デュアル無線端末の電源オン後の初期動作から１ｘと１ｘＥＶ−ＤＯサービスの同時待ち受けとなるまでの概略動作を示す。
【００１０】
（１ｘ初期捕捉）
デュアル無線端末が電源オンになると、制御部８０は、１ｘサービスセルとの接続のために、１ｘ無線信号のＲＳＳＩ（Ｒｅｃｅｉｖｅｄ  Ｓｉｇｎａｌ  Ｓｔｒｅｎｇｔｈ  Ｉｎｄｉｃａｔｏｒ）測定、１ｘセルサーチ、および１ｘシステムタイミング確立などの１ｘ初期捕捉動作を行う（ステップＳ２ａ）。
【００１１】
（１ｘ  Ｉｄｌｅ  Ｓｔａｔｅ）
ステップＳ２ａで１ｘ初期捕捉ができた（ステップＳ２ａのＹＥＳ）場合は、その１ｘ初期捕捉できた１ｘサービングセルとの間で、１ｘ  Ｉｄｌｅ  Ｓｔａｔｅ（１ｘ待ち受け）（ステップＳ３ａ）に入る。１ｘ  Ｉｄｌｅ  Ｓｔａｔｅ（ステップＳ３ａ）では、１ｘサービングセルから送信される当該デュアル無線端末への着信呼出しの待ち受けを行う。また、セルリセレクションに備えての１ｘセルサーチを行う。これらの処理は、電池の使用時間をセーブするために、例えば、５．１２秒周期でウェイクアップ状態となる間欠動作により行う。この１ｘ  Ｉｄｌｅ  Ｓｔａｔｅは、ステップＳ３ａ以降も継続して動作する。
【００１２】
（１ｘＥＶ−ＤＯ初期捕捉）
次に、この１ｘ  Ｉｄｌｅ  Ｓｔａｔｅ（ステップＳ３ａ）と併行して、１ｘＥＶ−ＤＯサービスセルとの接続のために、１ｘＥＶ−ＤＯ無線信号のＲＳＳＩ測定、１ｘＥＶ−ＤＯセルサーチ、および１ｘＥＶ−ＤＯシステムタイミング確立などの１ｘＥＶ−ＤＯ初期捕捉動作を行う（ステップＳ４ａ）。
【００１３】
（１ｘＥＶ−ＤＯ  Ｉｄｌｅ  Ｓｔａｔｅ）
上述のステップＳ４ａで１ｘＥＶ−ＤＯ初期捕捉ができた（ステップＳ４ａのＹＥＳ）場合は、その１ｘＥＶ−ＤＯ初期捕捉できた１ｘＥＶ−ＤＯサービングセルとの間で、１ｘＥＶ−ＤＯ  Ｉｄｌｅ  Ｓｔａｔｅ（１ｘＥＶ−ＤＯ待ち受け）（ステップＳ５ａ）に入る。１ｘＥＶ−ＤＯ  Ｉｄｌｅ  Ｓｔａｔｅ（ステップＳ５ａ）では、１ｘＥＶ−ＤＯサービングセルから送信される当該デュアル無線端末への１ｘＥＶ−ＤＯ着信呼出しの待ち受けを行う。また、セルリセレクションに備えての１ｘＥＶ−ＤＯセルサーチを行う。この処理は、電池の使用時間をセーブするために、例えば、５．１２秒周期でウェイクアップ状態となる間欠動作により行う。この１ｘＥＶ−ＤＯ  Ｉｄｌｅ  Ｓｔａｔｅは、上述の１ｘ  Ｉｄｌｅ  Ｓｔａｔｅ（ステップＳ３ａ）と併行して行われ、１ｘ／１ｘＥＶ−ＤＯ  Ｉｄｌｅ  Ｓｔａｔｅ（同時待ち受け）（ステップＳ６ａ）となる。
【００１４】
（１ｘ圏外処理）
上述の１ｘ初期捕捉ができなかった（ステップＳ２ａのＮＯ）場合は、１ｘ圏外処理に入る（ステップＳ７ａ）。１ｘ圏外処理（ステップＳ７ａ）では、デュアル無線端末の使用者が１ｘ圏内に移動する場合を考慮して、再度、１ｘ初期捕捉動作を行う。この１ｘ圏外処理での１ｘ初期捕捉動作は、電池の使用時間をセーブするために数秒周期でウェイクアップ状態となる間欠動作により行う。
【００１５】
（１ｘＥＶ−ＤＯ圏外処理）
上述の１ｘＥＶ−ＤＯ初期捕捉ができなかった（ステップＳ４ａのＮＯ）場合は、１ｘＥＶ−ＤＯ圏外処理に入る（ステップＳ８ａ）。１ｘＥＶ−ＤＯ圏外処理（ステップＳ８ａ）では、デュアル無線端末の使用者が１ｘＥＶ−ＤＯ圏内に移動する場合を考慮して、再度、１ｘＥＶ−ＤＯ初期捕捉動作を行う。この１ｘＥＶ−ＤＯ圏外処理での１ｘＥＶ−ＤＯ初期捕捉動作は、電池の使用時間をセーブするために数秒周期でウェイクアップ状態となる間欠動作により行う。
【００１６】
次に、１ｘＥＶ−ＤＯ初期捕捉（ステップＳ４ａ）について、制御部８０の詳細動作を詳細フローチャートで説明する。
【００１７】
図２５は、１ｘＥＶ−ＤＯ初期捕捉（ステップＳ４ａ）の詳細フローチャートである。デュアル無線端末が電源オンになると、制御部８０は、まず、複数の１ｘＥＶ−ＤＯ基地局から受信した周波数ｆ２ｄｗ（ｆＥＶ１ｄｗ又はｆＥＶ２ｄｗ）の無線信号の合成の受信信号強度を表わすＲＳＳＩの測定を行う。この周波数ｆ２ｄｗは、２つの候補周波数ｆＥＶ１ｄｗおよびｆＥＶ２ｄｗがあり、両方について測定する。ｆＥＶ１ｄｗおよびｆＥＶ２ｄｗいずれのＲＳＳＩも閾値ｔｈ１以下の場合（ステップＳ４１ａのＮＯ、且つステップＳ４２ａのＮＯ）は、１ｘＥＶ−ＤＯ圏外処理に入る（ステップＳ８ａ）。
【００１８】
ｆＥＶ１ｄｗおよびｆＥＶ２ｄｗいずれかのＲＳＳＩが閾値ｔｈ１以上の場合（ステップＳ４１ａのＹＥＳ、又はステップＳ４２ａのＹＥＳ）は、次に、ＰＮ符号全サーチに入る（ステップＳ４３ａ）。ＰＮ符号全サーチ（ステップＳ４３ａ）では、複数の１ｘＥＶ−ＤＯ基地局（セル）それぞれのセルパワーを測定してＰＮオフセットを特定するための１ｘＥＶ−ＤＯセルサーチを行う。
【００１９】
このように、１ｘＥＶ−ＤＯセルサーチは、ＰＮオフセット「０」〜「５１１」すべてについて全サーチして１ｘＥＶ−ＤＯセルパワーを確認する必要があり、サーチに時間がかかる。
【００２０】
１ｘＥＶ−ＤＯセルサーチで閾値以上のセルパワーのセルが１つもない場合（ステップＳ４４ａのＮＯ）は、１ｘＥＶ−ＤＯ圏外処理に入る（ステップＳ８ａ）。
【００２１】
上述のセルサーチで閾値以上のセルパワーのセルが１つ以上あった場合（ステップＳ４４ａのＹＥＳ）は、セルパワー最大のセルから送信される１ｘＥＶ−ＤＯのＳｙｎｃメッセージを受信する（ステップＳ４５ａ）。そして、１ｘＥＶ−ＤＯのタイミング確立を行い、この確立したシステムタイミングを、１ｘＥＶ−ＤＯシステムタイミング維持部９１（図２３）の内部のシステムタイミングカウンタに記憶する（ステップＳ４６ａ）。
【００２２】
このように、１ｘ初期捕捉（図２４のステップＳ２ａ）での１ｘシステムタイミング確立と同じように、１ｘＥＶ−ＤＯシステムタイミング確立のための処理が必要である。
【００２３】
こうして、この１ｘＥＶ−ＤＯセルパワー最大のセルが１ｘＥＶ−ＤＯサービングセル（１ｘＥＶ−ＤＯアクティブセル）となる。
【００２４】
また、この１ｘＥＶ−ＤＯサービングセル（１ｘＥＶ−ＤＯアクティブセル）から送信されるシステム情報メッセージを受信する。このシステム情報メッセージには、１ｘＥＶ−ＤＯサービングセル（１ｘＥＶ−ＤＯアクティブセル）の近隣の１ｘＥＶ−ＤＯセル情報である１ｘＥＶ−ＤＯネイバセルリストが含まれている。この１ｘＥＶ−ＤＯネイバセルリストには、１ｘＥＶ−ＤＯネイバセルのＰＮオフセット情報が含まれており、これを１ｘＥＶ−ＤＯ情報データベース８８に記録する（ステップＳ４７ａ）。
【００２５】
（従来例２）
従来例２として、１ｘと１ｘＥＶ−ＤＯの両方のシステムに対応する通信装置（携帯電話機）及び通信方法がある（例えば、特許文献１参照。）。  
この特許文献１の通信装置及び通信方法にあっては、１ｘ基地局と１ｘＥＶ−ＤＯ基地局が異なるエリアに隣接し、この両基地局と通信可能な位置に通信装置がある。通信装置は、１ｘと１ｘＥＶ−ＤＯの両方の機能を備えたデュアル通信装置である。この通信装置は、１ｘＥＶ−ＤＯ基地局との間で１ｘＥＶ−ＤＯによるデータ通信を行っている際に、受信データレートが予め設定されている閾値以下となった場合、データ通信を一旦中断する。
【００２６】
そして、通信装置は、通信相手を１ｘＥＶ−ＤＯ基地局から１ｘ基地局に切り換えるために、１ｘ基地局の情報を１ｘＥＶ−ＤＯ基地局から入手する。そして、通信装置は、新たに通信を開始する１ｘ基地局との間で、回線を確立する種々の処理を行う。そして、通信装置は、１ｘＥＶ−ＤＯ基地局との間で一旦中断していたデータ通信を、１ｘ基地局との間で再開する。このことにより、一定品質以上の安定した受信データレートのデータ通信を行っている。
【００２７】
（従来例３）
従来例３として、アナログ方式とＣＤＭＡ方式の両方を備えた移動通信システムがある（例えば、特許文献２参照。）。  
この特許文献２の移動通信システムにあっては、アナログ基地局とＣＤＭＡ基地局が隣接している。移動局は、アナログ方式とＣＤＭＡ方式の両方を備えたデュアル移動局である。この移動局は、アナログシステムのエリア内にいる時、アナログ基地局から送信される隣接のＣＤＭＡ基地局用の同期確立用情報を受信する。この同期確立用情報として、同期チャネルメッセージに含まれるパイロットチャネル拡散符号オフセットなどの情報を用いている。
【００２８】
そして、移動局は、隣接するＣＤＭＡシステムのエリアに移動した時、先に受信した同期確立用情報であるパイロットチャネル拡散符号オフセットおよびシステムタイミングを用いて、ＣＤＭＡ基地局から送信されるパイロットチャネル拡散符号の位相に一致する位相設定信号を発生する。そして、移動局は、この位相設定信号により拡散符号発生器をリセットして、タイミングを一致させている。これにより、移動局は、アナログシステムのエリアから、隣接するＣＤＭＡシステムのエリアに移動した時に、迅速にＣＤＭＡ基地局からのパイロットチャネルを捕捉している。
【特許文献１】特開２００３−９２７８２号公報（第４−６頁、図１−図５）
【特許文献２】特開平１０−１３６４２９号公報（第３−６頁、図１−図５）
【発明の開示】
【発明が解決しようとする課題】
【００２９】
ところで、上述した従来例１のデュアル無線端末においては、システムタイミングに関する部分では、１ｘ用の構成部分と１ｘＥＶ−ＤＯ用の構成部分を寄せ集めただけであり、基板スペースが増大し、コストが増加するという問題がある。また、１ｘ用のシステムタイミング抽出処理と１ｘＥＶ−ＤＯ用のシステムタイミング抽出処理との間に相関関係がなく、それぞれ独立してシステムタイミング抽出を行うために、処理時間が増大し、電池持ちが悪くなるという問題がある。
【００３０】
従来例２（特許文献１）の通信装置においては、１ｘＥＶ−ＤＯ基地局から１ｘ基地局に切り換える時に回線を確立する種々の処理を行うが、回線確立の高速化に関する記載がない。  
従来例３（特許文献２）の移動局においては、位相設定信号の発生及びこの位相設定信号による拡散符号発生器のリセットなどの回路が、アナログ通信用とは別途に必要であり、ハード構成が増加するという問題がある。
【００３１】
本発明は、上記の問題点を解決するためになされたもので、ハード構成の簡便化、回線確立の高速化、１ｘと１ｘＥＶ−ＤＯの同時待ち受けでの電池使用可能時間の増大などを行うことができるデュアル無線端末およびデュアル無線システムを提供することを目的とする。
【課題を解決するための手段】
【００３２】
上記目的を達成するために、本発明のデュアル無線端末装置は、第１無線方式のセルから送信される第１無線信号を受信して第１無線方式のシンクメッセージなどの受信データを復調する第１受信手段と、前記第１無線方式のセルと同期が取れた第２無線方式のセルから送信される第２無線信号を受信して第２無線方式のシンクメッセージなどの受信データを復調する第２受信手段と、前記第１受信手段と前記第２受信手段の受信タイミングを制御する共通のシステムタイミング制御手段とを具備することを特徴とする。
【００３３】
また、本発明のデュアル無線システムは、システム同期が相互に取れた第１無線方式のセルと第２無線方式のセルとデュアル無線端末を有するデュアル無線システムにあって、前記第１無線方式のセル及び当該第１無線方式のセルと同じ場所に位置する前記第２無線方式のセルに対して、セルを判別するためのＰＮオフセットとして同じＰＮオフセットを割り当て、前記デュアル無線端末装置は、第１無線方式のセルから送信される第１無線信号を受信して第１無線方式のシンクメッセージなどの受信データを復調する第１受信手段と、前記第２無線方式のセルから送信される第２無線信号を受信して第２無線方式のシンクメッセージなどの受信データを復調する第２受信手段と、前記第１受信手段と前記第２受信手段の受信タイミングを制御する共通のシステムタイミング制御手段とを具備することを特徴とする。
【発明の効果】
【００３４】
本発明によれば、ハード構成の簡便化、回線確立の高速化、電池持ちの向上などを行うことが可能となる。
【発明を実施するための最良の形態】
【００３５】
以下、本発明の実施例を、図面を参照して説明する。  
図１は、ＣＤＭＡ２０００のネットワーク構成図を示す。１ｘサービス（第１無線方式）のネットワークは、１ｘ基地局１０１、１ｘＢＳＣ（Ｂａｓｅ  Ｓｔａｔｉｏｎ  Ｃｏｎｔｒｏｌｌｅｒ）１０２、ＭＳＣ（Ｍｏｂｉｌｅ  Ｓｗｉｔｃｈｉｎｇ  Ｃｅｎｔｅｒ）１０３、及びＰＳＴＮ（公衆網）１０４などから構成される。１ｘサービスでは、音声サービス、ＳＭＳ（Ｓｈｏｒｔ  Ｍｅｓｓａｇｅ  Ｓｅｒｖｉｃｅ）、及び下り１００ｋｂｐｓ程度のパケットサービスを行う。
【００３６】
１ｘＥＶ−ＤＯサービス（第２無線方式）のネットワークは、１ｘＥＶ−ＤＯ基地局１０５、１ｘＥＶ−ＤＯ  ＢＳＣ１０６、ＰＤＳＮ（Ｐａｃｋｅｔ  Ｄａｔａ  Ｓｅｒｖｉｎｇ  Ｎｏｄｅ）１０７、及びＩＮＴＥＲＮＥＴ（インターネット網）１０８などから構成される。１ｘＥＶ−ＤＯサービスでは、下り１００ｋｂｐｓ以上のパケットサービスを行う。
【００３７】
デュアル無線端末２０１は、１ｘと１ｘＥＶ−ＤＯ両用の無線端末である。デュアル無線端末２０１は、１ｘサービスで動作する場合は、１ｘ基地局１０１と周波数ｆ１で無線接続され、１ｘＥＶ−ＤＯサービスで動作する場合は、１ｘＥＶ−ＤＯ基地局１０５と周波数ｆ２で無線接続される。  
１ｘ基地局１０１と１ｘＥＶ−ＤＯ基地局１０５は、ＧＰＳ（Ｇｌｏｂａｌ  Ｐｏｓｉｔｉｏｎｉｎｇ  Ｓｙｓｔｅｍ）と同期を取る同期システムである。
【００３８】
なお、ＣＤＭＡ２０００に限らず、第１無線方式として音声サービスなど行い、第２無線方式としてパケットサービスを行うネットワークであっても構わない。
【００３９】
次に、同期システムについて説明する。  
図２は、ＧＰＳ同期システムの説明図を示す。図１と同じ構成には同一の番号を付して説明する。ＧＰＳ３０１、ＧＰＳ３０２、ＧＰＳ３０３は、ＧＰＳ衛星である。１ｘ基地局１０１と１ｘＥＶ−ＤＯ基地局１０５は、同じＧＰＳ３０３からの信号を受信してタイミング同期を取る。  
デュアル無線端末２０１、デュアル無線端末２０２は、１ｘと１ｘＥＶ−ＤＯ両用の無線端末である。１ｘ無線端末２０３は、１ｘ専用の無線端末である。１ｘＥＶ−ＤＯ無線端末２０４は、１ｘＥＶ−ＤＯ専用の無線端末である。
【００４０】
デュアル無線端末２０１と１ｘ無線端末２０３は、１ｘサービスを行うために、１ｘ基地局１０１と周波数ｆ１で無線接続されて、１ｘ基地局１０１から送信されるＳＹＮＣ（同期）チャネルのタイミング情報により、１ｘ基地局１０１と同期を取る。デュアル無線端末２０２と１ｘＥＶ−ＤＯ無線端末２０４は、１ｘＥＶ−ＤＯサービスを行うために、１ｘＥＶ−ＤＯ基地局１０５と周波数ｆ２で無線接続されて、１ｘＥＶ−ＤＯ基地局１０５から送信されるＳＹＮＣ（同期）チャネルのタイミング情報により、１ｘＥＶ−ＤＯ基地局１０５と同期を取る。  
その結果、１ｘ基地局１０１、１ｘＥＶ−ＤＯ基地局１０５、デュアル無線端末２０１、デュアル無線端末２０２、１ｘ無線端末２０３、１ｘＥＶ−ＤＯ無線端末２０４のシステム全体で、ＧＰＳ３０３と同期が取れたものとなる。
【００４１】
なお、１ｘ基地局１０１と１ｘＥＶ−ＤＯ基地局１０５がＧＰＳ３０３からの信号を受信してシステムタイミング同期を取るシステムに限らず、１ｘ基地局１０１と１ｘＥＶ−ＤＯ基地局１０５同士が、直接通信を行ってシステムタイミング同期を取るシステムであってもよい。
【００４２】
図３は、１ｘと１ｘＥＶ−ＤＯのセル配置図を示す。ハッチングの記載のない１ｘセル４０１は、１ｘ専用のセルである。ハッチングの記載のある共用セル４０２は、１ｘセルと１ｘＥＶ−ＤＯセルの共用である。  
このように、１ｘセルがほぼ１００％カバーされている状態にあって、１ｘＥＶ−ＤＯセルが共用で配置されて、共用セルとなる。これは、最初に１ｘサービスが開始されて、１ｘセルのインフラが構築され、遅れて開始された１ｘＥＶ−ＤＯサービスは、既存の１ｘセルのインフラ上に構築されていくため、このような配置になる。また、１ｘＥＶ−ＤＯサービス（パケットサービス）専用のセルは需要効率の関係から設けられない。
【００４３】
共用セル４０２については、同じ共用セル４０２内の１ｘセルと１ｘＥＶ−ＤＯセルに対して、同じＰＮオフセット番号を割り当てるようにする。
【００４４】
図４は、１ｘセル群と１ｘＥＶ−ＤＯセル群のセル集合関係図である。１ｘセル群５０１のエリアでは、１ｘＥＶ−ＤＯサービスを行わない１ｘサービス専用のエリアが存在する。１ｘＥＶ−ＤＯセル群５０２のエリアは、１ｘセル群５０１のエリア内に位置して、必ず１ｘサービスも行われている。
【００４５】
図５は、ＣＤＭＡシステムでのＰＮ符号位相リングの説明図を示す。ＰＮ符号長「２の１５乗チップ」（０〜３２７６７チップ）を６４チップずつ離して設定したオフセット「０」〜オフセット「５１１」の５１２通りのＰＮオフセットのいずれかを、各基地局に割り当てることが可能である。  
無線端末側では、各基地局から送信されるパイロット信号を受信して、ＰＮ符号サーチを行う。これは、まず、ＰＮオフセットを切り換えながら、各基地局から送信されるパイロット信号強度をモニタして最も強いセルパワーの基地局をサーチし、その時のＰＮオフセットを確認する。その後、その基地局から送信されるＳＹＮＣ情報と、先に確認したＰＮオフセット情報からシステム同期をとりシステムタイミングを確立する。
【００４６】
図６は、共用セル４０２における基地局と無線端末のシステム図を示す。デュアル基地局１０９は、１ｘサービスと１ｘＥＶ−ＤＯサービスの両方を行う基地局であり、当該基地局に割り当てられるＰＮオフセットは、両方のサービスに対して、同じＰＮオフセット番号である。  
デュアル基地局１０９の１ｘサービスと１ｘＥＶ−ＤＯサービスは、ＧＰＳに同期が取れている。  
基地局と無線端末間の無線周波数は、１ｘサービスは無線周波数ｆ１、１ｘＥＶ−ＤＯサービスは無線周波数ｆ２で行われる。更に、１ｘＥＶ−ＤＯサービスの無線周波数ｆ２は、ｆＥＶ１とｆＥＶ２の２種類がある。
【００４７】
また、１ｘサービスの無線周波数ｆ１、１ｘＥＶ−ＤＯサービスの無線周波数ｆ２（ｆＥＶ１又はｆＥＶ２）は、上りと下りで若干異なる。１ｘサービスでは、上りは無線周波数ｆ１ｕｐ、下りは無線周波数ｆ１ｄｗで行う。１ｘＥＶ−ＤＯサービスでは、上りは無線周波数ｆ２ｕｐ（ｆＥＶ１ｕｐ又はｆＥＶ２ｕｐ）、下りは無線周波数ｆ２ｄｗ（ｆＥＶ１ｄｗ又はｆＥＶ２ｄｗ）で行う。８００ＭＨｚ帯だと、この上りと下りの差は通常４５ＭＨｚの差が設定される。
【００４８】
従って、１ｘ無線端末２０３とデュアル無線端末２０１は、デュアル基地局１０９と周波数ｆ１で無線接続されて、１ｘサービスの音声、ＳＭＳ通信などを行う。１ｘＥＶ−ＤＯ無線端末２０４とデュアル無線端末２０２は、デュアル基地局１０９と周波数ｆ２（ｆＥＶ１又はｆＥＶ２）で無線接続されて、１ｘＥＶ−ＤＯサービスのパケットデータ通信を行う。
【００４９】
図７は、デュアル基地局１０９の１ｘと１ｘＥＶ−ＤＯ用の下り拡散変調部のブロック図を示す。その主用部は、送信データ制御部１１、複素拡散部１２、フィルタ１３、フィルタ１４、Ｉ／Ｑ変調部１５、ＲＦ送信部１６、アンテナ１７などから構成される。
【００５０】
以下に、動作を説明する。送信データ制御部１１は、送信信号ΣＩ信号１１ｃとΣＱ信号１１ｄ、及び基地局ＰＮオフセットである１．２２８８ＭＨｚのＰＮコードＩｃｈ信号１１ｂとＰＮコードＱｃｈ信号１１ａを複素拡散部１２へ送出する。複素拡散部１２は、送信信号ΣＩ信号１１ｃおよびΣＱ信号１１ｄに対して、ＰＮコードＩｃｈ信号１１ｂとＰＮコードＱｃｈ信号１１ａにより複素拡散処理を行い、出力信号をフィルタ１３およびフィルタ１４へ送出する。フィルタ１３およびフィルタ１４は、ベースバンドでデジタルフィルタを掛ける処理を行い、出力信号をＩ／Ｑ変調部１５へ送出する。Ｉ／Ｑ変調部１５は、Ｉ／Ｑ変調を行ってＲＦ送信部１６へ送出する。ＲＦ送信部１６は、アンテナ１７から無線端末へ無線信号を送信する。
【００５１】
送信データ制御部１１が制御する送信データとしては、ページング信号などの通信制御信号やユーザ信号などがある。ページング信号については、送信データ制御部１１が、その送信タイミング、送信周期、および着信呼出しデータを制御する。
【００５２】
図８は、デュアル基地局１０９の１ｘと１ｘＥＶ−ＤＯの周波数スペクトラムを示す。デュアル基地局１０９の下り拡散変調部が１ｘと１ｘＥＶ−ＤＯで同じであるため、送信する無線信号は、１ｘと１ｘＥＶ−ＤＯで同じスペクトラムとなる。このことにより、デュアル基地局１０９のセルサイト（図示せず）、タワー（図示せず）、アンテナ（図示せず）は、１ｘサービスと１ｘＥＶ−ＤＯサービスで共用することができる。
【００５３】
図９は、基地局が送信するパイロット信号のタイムチャートである。１ｘのパイロット信号は、連続して常に送信される。１ｘＥＶ−ＤＯのパイロット信号は、１０２４チップ中９６チップのパイロット信号がバースト的に挿入されて、送信される。両システム共、ＧＰＳに同期して動作させているため、１ｘと１ｘＥＶ−ＤＯの両方のサービスを行っているセルでは、下りの信号のシステムタイミングは同じとなる。
【実施例１】
【００５４】
図１０〜図１２は、デュアル無線端末（デュアル無線端末２０１やデュアル無線端末２０２）の主要部のブロック図である。図１０は、送信受信部の全体ブロック図、図１１は、送信受信部のＲＡＫＥ受信部にあるサーチャのブロック図、図１２は、送信受信部の共通システムタイミング維持部にあるシステムタイミングカウンタの構成図である。
【００５５】
図１０に示したデュアル無線端末の送信受信部の主要部は、アンテナ２１、ＲＦ受信部２２、１ｘＲＡＫＥ受信部２３、１ｘＥＶ−ＤＯ  ＲＡＫＥ受信部２４、復号部２５、符号化器２６、１ｘ拡散部２７、１ｘＥＶ−ＤＯ拡散部２８、ＲＦ送信部２９、制御部３０などにより構成されている。
【００５６】
１ｘＲＡＫＥ受信部２３及び１ｘＥＶ−ＤＯ  ＲＡＫＥ受信部２４の内部は、周知のサーチャ、複数のフィンガ及び合成器などにより構成されている。  
制御部３０は、１ｘセル情報データベース３１、１ｘセルサーチ結果データベース３１１、１ｘ制御部３２、共通システムタイミング管理部３３、共通システムタイミング維持部３４、１ｘ受信タイミング設定部３５、１ｘ送信タイミング設定部３６、共通セル情報データベース３７、１ｘＥＶ−ＤＯセル情報データベース３８、１ｘＥＶ−ＤＯ制御部３９、１ｘページングカウンタ４０、１ｘＥＶ−ＤＯページングカウンタ４１、１ｘＥＶ−ＤＯ受信タイミング設定部４２、１ｘＥＶ−ＤＯ送信タイミング設定部４３などにより構成されている。共通システムタイミング維持部３４の内部には、システムタイミングカウンタを備える。
【００５７】
（各サービスの構成）
１ｘサービス受信部の構成は、アンテナ２１、ＲＦ受信部２２、１ｘＲＡＫＥ受信部２３、復号部２５、１ｘセル情報データベース３１、共通セル情報データベース３７、１ｘ制御部３２、共通システムタイミング管理部３３、共通システムタイミング維持部３４、１ｘ受信タイミング設定部３５、及び１ｘページングカウンタ４０などにより構成される。  
１ｘＥＶ−ＤＯサービス受信部の構成は、アンテナ２１、ＲＦ受信部２２、１ｘＥＶ−ＤＯ  ＲＡＫＥ受信部２４、復号部２５、共通セル情報データベース３７、１ｘＥＶ−ＤＯセル情報データベース３８、１ｘＥＶ−ＤＯ制御部３９、共通システムタイミング管理部３３、共通システムタイミング維持部３４、１ｘＥＶ−ＤＯ受信タイミング設定部４２、及び１ｘＥＶ−ＤＯページングカウンタ４１などにより構成される。
【００５８】
１ｘサービス送信部の構成は、アンテナ２１、ＲＦ送信部２９、１ｘ拡散部２７、符号化器２６、共通システムタイミング管理部３３、共通システムタイミング維持部３４、１ｘ送信タイミング設定部３６などにより構成される。  
１ｘＥＶ−ＤＯサービス送信部の構成は、アンテナ２１、ＲＦ送信部２９、１ｘＥＶ−ＤＯ拡散部２８、符号化器２６、共通システムタイミング管理部３３、共通システムタイミング維持部３４、１ｘＥＶ−ＤＯ送信タイミング設定部４３などにより構成される。
【００５９】
この内、共通システムタイミング管理部３３、共通システムタイミング維持部３４などが、共通のシステムタイミング制御手段として動作する。
【００６０】
図１１は、１ｘＲＡＫＥ受信部２３内のサーチャのインテグレート部のブロック図である。サーチャのインテグレート部は、乗算器２３１、積分器２３２、２乗回路２３３などから構成される。
【００６１】
基地局において所定の拡散符号で拡散処理された無線信号は、アンテナ２１、ＲＦ受信部２２を経由して、受信信号２２ｂとして乗算器２３１の一方に入力される。また、１ｘ制御部３２からのＰＮ符号３２ａは、乗算器２３１の他方に入力される。乗算器２３１は、これらの入力を乗算処理し、積分器２３２へ送出する。積分器２３２は、その信号を所定の期間であるスタート点ＳＴからストップ点ＳＰまで積分し、２乗回路２３３へ送出する。２乗回路２３３は、２乗処理して、１ｘセルパワー２３ａを出力する。  
これにより、基地局における所定の拡散符号と１ｘ制御部３２からのＰＮ符号３２ａが一致した時に、１ｘセルパワー２３ａが生じる。
【００６２】
１ｘＥＶ−ＤＯ  ＲＡＫＥ受信部２４内のサーチャは、１ｘＲＡＫＥ受信部２３内のサーチャと同等であり、図面を省略する。
【００６３】
なお、基地局が送信するパイロット信号（図９）のタイミングは、１ｘと１ｘＥＶ−ＤＯで異なるが、それぞれのサーチャは、予想しているパイロットの存在位置にスタート点ＳＴとストップ点ＳＰを合わせればよい。１ｘの場合は、１ｘＲＡＫＥ受信部２３内のサーチャは、例えば１２８チップ毎に積分器２３２で積分すればよい。１ｘＥＶ−ＤＯの場合は、１ｘＥＶ−ＤＯ  ＲＡＫＥ受信部２４内のサーチャは、パイロットの９６チップ部分に合わせて積分器で積分すればよい。
【００６４】
図１２は、送信受信部の共通システムタイミング維持部３４にあるシステムタイミングカウンタの構成図である。チップクロックなどを入力として動作し、スーパーフレーム番号「０〜１０２３」、フレーム番号「０〜２０４７」、スロット番号「０〜１５」、チップ番号「０〜２０４７」などのシステムタイミングを記憶する。
【００６５】
次に、図１０〜図１２により、送信受信部の全体の機能について説明する。  
（周波数設定）
システム図（図６）で説明した無線周波数に関連して、デュアル無線端末における周波数設定は、次のように行われる。  
１ｘサービス受信の場合、制御部３０は、ＲＦ受信制御信号３０ａにより、ＲＦ受信部２２のシンセサイザに対して、ｆ１ｄｗの周波数設定を行う。  
１ｘサービス送信の場合、制御部３０は、ＲＦ送信制御信号３０ｂにより、ＲＦ送信部２９のシンセサイザに対して、ｆ１ｕｐの周波数設定を行う。  
１ｘＥＶ−ＤＯサービス受信の場合、制御部３０は、ＲＦ受信部２２に対して、ｆ２ｄｗ（ｆＥＶ１ｄｗ又はｆＥＶ２ｄｗ）の周波数設定を行う。  
１ｘＥＶ−ＤＯサービス送信の場合、制御部３０は、ＲＦ送信部２９に対して、ｆ２ｕｐ（ｆＥＶ１ｕｐ又はｆＥＶ２ｕｐ）の周波数設定を行う。
【００６６】
以降の説明では、それぞれのサービスに応じて上述の周波数設定を行うが、その説明は省略する。
【００６７】
（１ｘサービス受信での圏内確認）
まず、当該デュアル無線端末が１ｘサービスエリアの圏内にいるかどうかの確認について、以下に説明する。複数の１ｘサービスの基地局から送信された無線周波数ｆ１ｄｗの無線信号はアンテナ２１により合成受信され、ＲＦ受信部２２に送出される。ＲＦ受信部２２は、周波数ｆ１ｄｗに周波数設定されたシンセサイザ条件において、複数の１ｘ基地局から受信した無線信号の合成の受信信号強度を表わすＲＳＳＩ（Ｒｅｃｅｉｖｅｄ  Ｓｉｇｎａｌ  Ｓｔｒｅｎｇｔｈ  Ｉｎｄｉｃａｔｏｒ）２２ａを制御部３０へ送出する。
【００６８】
制御部３０は、このＲＳＳＩ信号２２ａが所定の閾値以上であれば、当該デュアル無線端末が１ｘサービスエリアの圏内にいる、すなわち、当該デュアル無線端末の近傍に１ｘサービスの基地局が存在すると概略認識する。
【００６９】
（１ｘサービス受信での１ｘセルサーチ）
次に、複数の１ｘサービスの基地局（セル）を特定するための１ｘセルサーチについて、以下に説明する。複数の１ｘサービスの基地局は、それぞれ異なるＰＮ符号が割り当てられており、そのＰＮ符号で拡散処理したパイロット信号を送信している。  
デュアル無線端末の１ｘ制御部３２は、例えば全セルサーチを行う場合は、図５に示したＰＮオフセット「０」〜「５１１」を１ｘＲＡＫＥ受信部２３のサーチャに順次、指示する。サーチャは各ＰＮオフセット「０」〜「５１１」で順次、逆拡散処理を行い、その結果である１ｘセルパワー信号２３ａを１ｘ制御部３２へ順次、送出する。
【００７０】
この１ｘセルパワー信号２３ａは、ＲＳＣＰ（Ｒｅｃｅｉｖｅｄ  Ｓｉｇｎａｌ  Ｃｏｄｅ  Ｐｏｗｅｒ）又は、ＲＳＣＰを干渉パワーで割り算したＳＩＲ（受信信号電力対干渉信号電力比）であっても良い。  
１ｘ制御部３２は、セルサーチにより、１ｘセルパワー信号２３ａが最大となった時のＰＮオフセットを確定する。このＰＮオフセットを割り当てられた１ｘセルが、セルパワー最大の１ｘセルである。
【００７１】
また、１ｘ制御部３２は、このサーチ結果に基いて、無線伝搬路のマルチパスを追従させるために、１ｘＲＡＫＥ受信部２３内の複数のフィンガを割り当てる。そして、この割り当てられた複数のフィンガの出力は、１ｘＲＡＫＥ受信部２３内の合成器でＲＡＫＥ合成される。合成器は、ＲＡＫＥ合成データを復号部２５へ送出する。復号部２５は、ＲＡＫＥ合成データに対して復調処理などを行って、受信データ２５ａを制御部３０などへ送出する。
【００７２】
（１ｘサービス受信での１ｘシステムタイミング同期）
次に、システムタイミング同期について説明する。上記したセルパワー最大の１ｘセルから送信されるＳＹＮＣ情報は、アンテナ２１、ＲＦ受信部２２、１ｘＲＡＫＥ受信部２３、復号部２５により復号され、受信データ２５ａとして制御部３０へ送出される。
【００７３】
制御部３０は、受信データ２５ａのＳＹＮＣ情報中のタイミング情報と、上記したセルサーチにより確定したセルパワー最大の１ｘセルのＰＮオフセットとから、システムタイミングを抽出し、システムタイミングの確立を行い、システムタイミングを共通システムタイミング維持部３４内のシステムタイミングカウンタに記憶させる。
【００７４】
そして、共通システムタイミング管理部３３は、共通システムタイミング維持部３４に記憶したシステムタイミングを基に、１ｘ受信タイミング設定部３５にタイミング設定を行う。１ｘ受信タイミング設定部３５は、それを基に、１ｘＲＡＫＥ受信部２３にタイミング指定を行う。  
前述のセルパワー最大の１ｘセルは、システムタイミング確立後、当該デュアル無線端末と通信を行う１ｘサービングセル（１ｘアクティブセル）となる。
【００７５】
（１ｘサービス受信での１ｘ待ち受け処理）
次に、システムタイミング確立後の１ｘ待ち受け処理について説明する。１ｘサービングセルは、システムタイミングに同期したタイミングで、例えば、５．１２秒周期で１ｘページング信号をデュアル無線端末へ送信する。  
デュアル無線端末では、電池の使用時間を延ばすために、この１ｘページング信号に合わせて、例えば、５．１２秒周期でウェイクアップ状態となる間欠動作を行う。１ｘ待ち受け処理時に常時動作する部分は、共通システムタイミング維持部３４および１ｘページングカウンタ４０である。そして、この１ｘページングカウンタ４０は、間欠動作タイミングを記憶しており、１ｘページング信号到来に合わせて、デュアル無線端末の他の主要部分をウェイクアップさせる。ウェイクアップ中の処理が終了すると、スリープ状態となり、次の間欠動作タイミングのウェイクアップを待つ。
【００７６】
このウェイクアップ中の処理として、１ｘサービングセルから送信される当該デュアル無線端末への着信呼出しの待ち受けを以下のように行う。着信呼出し信号は、アンテナ２１、ＲＦ受信部２２、１ｘＲＡＫＥ受信部２３、復号部２５により復号されて、受信データ２５ａが制御部３０に送出される。制御部３０はこれをチェックして、当該デュアル無線端末への着信呼出しの有無を確認する。
【００７７】
また、ウェイクアップ中の処理として、セルリセレクションに備えての１ｘセルサーチを以下のように行う。１ｘサービングセルから送信される近隣の１ｘネイバセル情報は、アンテナ２１、ＲＦ受信部２２、１ｘＲＡＫＥ受信部２３、復号部２５により復号されて、受信データ２５ａが制御部３０に送出される。制御部３０は、この１ｘネイバセル情報を１ｘセル情報データベース３１に記憶する。そして、１ｘ制御部３２は、この１ｘネイバセル情報に基いて、セルサーチを行い、セルパワー順に、１ｘセルサーチ結果データベース３１１に記憶する。
【００７８】
（１ｘＥＶ−ＤＯサービス受信での圏内確認）
まず、当該デュアル無線端末が１ｘＥＶ−ＤＯサービスエリアの圏内に位置しているかどうかの確認について、以下に説明する。複数の１ｘＥＶ−ＤＯサービスの基地局から送信された無線周波数ｆ２ｄｗの無線信号はアンテナ２１により合成受信され、ＲＦ受信部２２に送出される。ＲＦ受信部２２は、周波数ｆ２ｄｗ（ｆＥＶ１ｄｗ又はｆＥＶ２ｄｗ）に周波数設定されたシンセサイザ条件において、複数の１ｘＥＶ−ＤＯ基地局から受信した無線信号の合成の受信信号強度を表わすＲＳＳＩ２２ａを制御部３０へ送出する。  
制御部３０は、このＲＳＳＩ信号２２ａが所定の閾値以上であれば、当該デュアル無線端末が１ｘＥＶ−ＤＯサービスエリアの圏内にいる、すなわち、当該デュアル無線端末の近傍に１ｘＥＶ−ＤＯサービスの基地局が存在すると概略認識する。
【００７９】
（１ｘＥＶ−ＤＯサービス受信での１ｘＥＶ−ＤＯシステムタイミング同期）
次に、システムタイミング同期について説明する。１ｘＥＶ−ＤＯサービス受信に先立って１ｘサービス受信が行われる場合、１ｘシステムタイミングは、すでに共通システムタイミング維持部３４内のシステムタイミングカウンタに記憶されている。１ｘサービスと１ｘＥＶ−ＤＯサービスのシステムタイミングはＧＰＳに同期しており、下りのパイロット信号のシステムタイミングは同じである。従って、すでに共通システムタイミング維持部３４内のシステムタイミングカウンタに記憶されている１ｘシステムタイミングをそのまま適用することにより、新たに１ｘＥＶ−ＤＯのシステムタイミング確立動作を行う必要はない。  
そして、共通システムタイミング管理部３３は、共通システムタイミング維持部３４に記憶したシステムタイミングを基に、１ｘＥＶ−ＤＯ受信タイミング設定部４２にタイミング設定を行う。１ｘＥＶ−ＤＯ受信タイミング設定部４２は、それを基に、１ｘＥＶ−ＤＯ  ＲＡＫＥ受信部２４にタイミング指定を行う。
【００８０】
（１ｘＥＶ−ＤＯサービス受信でのセルサーチ）
次に、複数の１ｘＥＶ−ＤＯサービスの基地局（セル）を特定するための１ｘＥＶ−ＤＯセルサーチについて、以下に説明する。複数の１ｘＥＶ−ＤＯサービスの基地局は、それぞれ異なるＰＮ符号が割り当てられており、そのＰＮ符号で拡散処理したパイロット信号を送信している。  
１ｘＥＶ−ＤＯサービス受信と併行して行われている１ｘサービス受信でのページング処理において、１ｘセルサーチの結果が、１ｘセルパワー順に、１ｘセルサーチ結果データベース３１１に記憶されている。１ｘＥＶ−ＤＯ制御部３９は、この１ｘセルパワー順のＰＮオフセットを１ｘＥＶ−ＤＯ  ＲＡＫＥ受信部２４に設定して、１ｘＥＶ−ＤＯセルサーチを行う。そして、１ｘＥＶ−ＤＯ制御部３９は、最大の１ｘＥＶ−ＤＯセルパワー２４ａを確認して、１ｘＥＶ−ＤＯセルパワーが最大の１ｘＥＶ−ＤＯセルを選択する。この最大の１ｘＥＶ−ＤＯセルは、当該デュアル無線端末と通信を行う１ｘＥＶ−ＤＯサービングセルとなる。
【００８１】
（１ｘＥＶ−ＤＯサービス受信での１ｘＥＶ−ＤＯ待ち受け処理）
次に、システムタイミング確立後の１ｘＥＶ−ＤＯ待ち受け処理について説明する。１ｘＥＶ−ＤＯサービングセルは、システムタイミングに同期したタイミングで、例えば、５．１２秒周期で１ｘＥＶ−ＤＯページング信号をデュアル無線端末へ送信する。  
デュアル無線端末では、電池の使用時間を延ばすために、この１ｘＥＶ−ＤＯページング信号の整数倍、例えば４倍の２０．４８秒周期でウェイクアップ状態となる間欠動作を行う。１ｘＥＶ−ＤＯ待ち受け処理時に常時動作する部分は、共通システムタイミング維持部３４および１ｘＥＶ−ＤＯページングカウンタ４１である。そして、この１ｘＥＶ−ＤＯページングカウンタ４１は、間欠動作タイミングを記憶しており、１ｘＥＶ−ＤＯページング信号到来の整数倍、例えば４倍の２０．４８秒周期のタイミングに合わせて、デュアル無線端末の他の主要部分をウェイクアップさせる。ウェイクアップ中の処理が終了すると、スリープ状態となり、次のタイミングのウェイクアップを待つ。
【００８２】
このウェイクアップ中の処理として、１ｘＥＶ−ＤＯサービングセルから送信される当該デュアル無線端末への着信呼出しの待ち受けを以下のように行う。着信呼出し信号は、アンテナ２１、ＲＦ受信部２２、１ｘＥＶ−ＤＯＲＡＫＥ受信部２４、復号部２５により復号されて、受信データ２５ａが制御部３０に送出される。制御部３０はこれをチェックして、当該デュアル無線端末への着信呼出しの有無を確認する。
【００８３】
また、ウェイクアップ中の処理として、セルリセレクションに備えての１ｘＥＶ−ＤＯセルサーチを以下のように行う。１ｘＥＶ−ＤＯサービングセルから送信される近隣の１ｘＥＶ−ＤＯネイバセル情報は、アンテナ２１、ＲＦ受信部２２、１ｘＥＶ−ＤＯＲＡＫＥ受信部２４、復号部２５により復号されて、受信データ２５ａが制御部３０に送出される。制御部３０は、この１ｘＥＶ−ＤＯネイバセル情報を１ｘＥＶ−ＤＯセル情報データベース３８に記憶する。そして、１ｘＥＶ−ＤＯ制御部３９は、この１ｘＥＶ−ＤＯネイバセル情報に基いて、１ｘＥＶ−ＤＯセルサーチを行い、１ｘＥＶ−ＤＯセルパワーを測定する。
【００８４】
（１ｘサービスの送信処理）
送信データ２６ａは、符号化器２６により符号化処理などが行われる。符号化器２６は符号化したデータを１ｘ拡散部２７へ送出する。また、共通システムタイミング管理部３３は、共通システムタイミング維持部３４が記憶しているシステムタイミングに合わせて、送信タイミングを１ｘ送信タイミング設定部３６に指示する。１ｘ送信タイミング設定部３６は、指示されたタイミング情報を１ｘ拡散部２７へ出力する。  
１ｘ拡散部２７は、符号化器２６からのデータに対して、指示されたタイミングで拡散処理などを行って、ＲＦ送信部２９へ送出する。ＲＦ送信部２９は、Ｄ／Ａ変換やアップコンバートなどの無線処理を行い、その無線信号をアンテナ２１から基地局へ送信する。
【００８５】
（１ｘＥＶ−ＤＯサービスの送信処理）
送信データ２６ａは、符号化器２６により符号化処理などが行われる。符号化器２６は符号化したデータを１ｘＥＶ−ＤＯ拡散部２８へ送出する。また、共通システムタイミング管理部３３は、共通システムタイミング維持部３４が記憶しているシステムタイミングに合わせて、送信タイミングを１ｘＥＶ−ＤＯ送信タイミング設定部４３に指示する。１ｘＥＶ−ＤＯ送信タイミング設定部４３は、指示されたタイミング情報を１ｘＥＶ−ＤＯ拡散部２８へ出力する。  
１ｘＥＶ−ＤＯ拡散部２８は、符号化器２６からのデータに対して、指示されたタイミングで拡散処理などを行って、ＲＦ送信部２９へ送出する。ＲＦ送信部２９は、Ｄ／Ａ変換やアップコンバートなどの無線処理を行い、その無線信号をアンテナ２１から基地局へ送信する。
【００８６】
次に、制御部３０の動作について、ゼネラルフローチャートで説明する。  
図１３は、デュアル無線端末の制御部３０の動作を示すゼネラルフローチャートであり、デュアル無線端末の電源オン後の初期動作から１ｘと１ｘＥＶ−ＤＯサービスの同時待ち受けとなるまでの概略動作を示す。
【００８７】
（１ｘ初期捕捉）
デュアル無線端末が電源オンになると、制御部３０は、１ｘサービスセルとの接続のために、１ｘ無線信号のＲＳＳＩ測定、１ｘセルサーチ、および１ｘシステムタイミング確立などの１ｘ初期捕捉動作を行う（ステップＳ２）。
【００８８】
（１ｘ  Ｉｄｌｅ  Ｓｔａｔｅ）
ステップＳ２で１ｘ初期捕捉ができた（ステップＳ２のＹＥＳ）場合は、その１ｘ初期捕捉できた１ｘサービングセルとの間で、１ｘ  Ｉｄｌｅ  Ｓｔａｔｅ（１ｘ待ち受け）（ステップＳ３）に入る。１ｘ  Ｉｄｌｅ  Ｓｔａｔｅ（ステップＳ３）では、１ｘサービングセルから送信される当該デュアル無線端末への着信呼出しの待ち受けを行う。また、セルリセレクションに備えての１ｘセルサーチを行う。これらの処理は、電池の使用時間をセーブするために、例えば、５．１２秒周期でウェイクアップ状態となる間欠動作により行う。この１ｘ  Ｉｄｌｅ  Ｓｔａｔｅ（ステップＳ３）は、ステップＳ３以降も継続して動作する。
【００８９】
（１ｘＥＶ−ＤＯ初期捕捉）
次に、この１ｘ  Ｉｄｌｅ  Ｓｔａｔｅ（ステップＳ３）と併行して、１ｘＥＶ−ＤＯサービスセルとの接続のために、１ｘＥＶ−ＤＯ無線信号のＲＳＳＩ測定、１ｘＥＶ−ＤＯセルサーチ、および１ｘＥＶ−ＤＯシステムタイミング確立などの１ｘＥＶ−ＤＯ初期捕捉動作を行う（ステップＳ４）。
【００９０】
（１ｘＥＶ−ＤＯ  Ｉｄｌｅ  Ｓｔａｔｅ）
上述のステップＳ４で１ｘＥＶ−ＤＯ初期捕捉ができた（ステップＳ４のＹＥＳ）場合は、その１ｘＥＶ−ＤＯ初期捕捉できた１ｘＥＶ−ＤＯサービングセルとの間で、１ｘＥＶ−ＤＯ  Ｉｄｌｅ  Ｓｔａｔｅ（１ｘＥＶ−ＤＯ待ち受け）（ステップＳ５）に入る。１ｘＥＶ−ＤＯ  Ｉｄｌｅ  Ｓｔａｔｅ（ステップＳ５）では、１ｘＥＶ−ＤＯサービングセルから送信される当該デュアル無線端末への１ｘＥＶ−ＤＯ着信呼出しの待ち受けを行う。また、セルリセレクションに備えての１ｘＥＶ−ＤＯセルサーチを行う。この処理は、電池の使用時間をセーブするために、例えば、５．１２秒の整数倍である２０．４８秒の周期でウェイクアップ状態となる間欠動作により行う。この１ｘＥＶ−ＤＯ  Ｉｄｌｅ  Ｓｔａｔｅは、上述の１ｘ  Ｉｄｌｅ  Ｓｔａｔｅ（ステップＳ３）と併行して行われ、１ｘ／１ｘＥＶ−ＤＯ  Ｉｄｌｅ  Ｓｔａｔｅ（同時待ち受け）（ステップＳ６＝Ｓ３＋Ｓ５）となる。
【００９１】
（１ｘ圏外処理）
上述の１ｘ初期捕捉ができなかった（ステップＳ２のＮＯ）場合は、１ｘ圏外処理に入る（ステップＳ７）。１ｘ圏外処理（ステップＳ７）では、デュアル無線端末の使用者が１ｘ圏内に移動する場合を考慮して、再度、１ｘ初期捕捉動作を行う。この１ｘ圏外処理での１ｘ初期捕捉動作は、電池の使用時間をセーブするために数秒周期でウェイクアップ状態となる間欠動作により行う。
【００９２】
（１ｘＥＶ−ＤＯ圏外処理）
上述の１ｘＥＶ−ＤＯ初期捕捉ができなかった（ステップＳ４のＮＯ）場合は、１ｘＥＶ−ＤＯ圏外処理に入る（ステップＳ８）。  １ｘＥＶ−ＤＯ圏外処理（ステップＳ８）では、デュアル無線端末の使用者が１ｘＥＶ−ＤＯ圏内に移動する場合を考慮して、再度、１ｘＥＶ−ＤＯ初期捕捉動作を行う。この１ｘＥＶ−ＤＯ圏外処理での１ｘＥＶ−ＤＯ初期捕捉動作は、電池の使用時間をセーブするために数秒周期でウェイクアップ状態となる間欠動作により行う。
【００９３】
上述の１ｘ圏外処理（ステップＳ７）において、１ｘ初期捕捉ができないで１ｘ圏外処理が継続中の場合、これは、セル配置図（図３）に示すように、１ｘセル４０１および共用セル４０２のいずれのエリアにも、当該デュアル無線端末が位置していないことを意味する。従って、１ｘ初期捕捉ができないで１ｘ圏外処理が継続中の場合は、１ｘＥＶ−ＤＯ圏外処理（ステップＳ８）を行わない。このことにより、１ｘＥＶ−ＤＯ圏外処理に伴う電池の使用時間の消耗をなくすことができる。
【００９４】
次に、制御部３０の詳細動作について、詳細フローチャートなどで説明する。  
（１ｘ初期捕捉の詳細）
図１４は、１ｘ初期捕捉（図１３のステップＳ２）の詳細フローチャートである。デュアル無線端末が電源オンになると、制御部３０は、まず、複数の１ｘ基地局から受信した周波数ｆ１ｄｗの無線信号の合成の受信信号強度を表わすＲＳＳＩの測定を行う。ＲＳＳＩが閾値ｔｈ１以下の場合（ステップＳ２１のＮＯ）は、１ｘ圏外処理に入る（ステップＳ７）。
【００９５】
ＲＳＳＩが閾値ｔｈ１以上の場合（ステップＳ２１のＹＥＳ）は、次に、ＰＮ符号全サーチに入る（ステップＳ２２）。ＰＮ符号全サーチ（ステップＳ２２）では、複数の１ｘ基地局（セル）それぞれのセルパワーを測定してＰＮオフセットを特定するための１ｘセルサーチを行う。１ｘセルサーチは、ＰＮオフセット「０」〜「５１１」すべてについて全サーチして１ｘセルパワーを確認する必要があり、サーチに時間がかかる。１ｘセルサーチで閾値以上のセルパワーのセルが１つもない場合（ステップＳ２３のＮＯ）は、１ｘ圏外処理に入る（ステップＳ７）。
【００９６】
上述のセルサーチで閾値以上のセルパワーのセルが１つ以上あった場合（ステップＳ２３のＹＥＳ）は、セルパワー最大のセルから送信される１ｘのＳｙｎｃメッセージを受信する（ステップＳ２４）。そして、１ｘのタイミング確立を行い、この確立したシステムタイミングを、共通システムタイミング維持部３４（図１０）の内部のシステムタイミングカウンタに記憶する（ステップＳ２５）。こうして、この１ｘセルパワー最大のセルが１ｘサービングセル（１ｘアクティブセル）となる。
【００９７】
また、この１ｘサービングセル（１ｘアクティブセル）から送信されるシステム情報メッセージを受信する。このシステム情報メッセージには、１ｘサービングセル（１ｘアクティブセル）の近隣のセル情報である１ｘネイバセルリストが含まれている。この１ｘネイバセルリストには、１ｘネイバセルのＰＮオフセット情報が含まれており、これを１ｘセル情報データベース３１に記録する（ステップＳ２６）。
【００９８】
図１５は、各種のデータベースの説明図であり、１ｘネイバセルリストは、１ｘセル情報データベース３１に記録される。この１ｘネイバセルリストには、現在通信している１ｘサービングセル（１ｘアクティブセル）も含まれる。他のデータベースについては、それぞれの関連説明箇所で後述する。以上で１ｘ初期捕捉を終了し、１ｘ  Ｉｄｌｅ  Ｓｔａｔｅ（ステップＳ３）へ移行する。
【００９９】
（１ｘ  Ｉｄｌｅ  Ｓｔａｔｅの詳細）
図１６は、１ｘ  Ｉｄｌｅ  Ｓｔａｔｅ（図１３のステップＳ３）の詳細フローチャートである。１ｘ  Ｉｄｌｅ  Ｓｔａｔｅ（ステップＳ３）は、例えば、５．１２秒周期でウェイクアップ状態となる間欠動作により行う。
【０１００】
１ｘ  Ｉｄｌｅ  Ｓｔａｔｅ（ステップＳ３）では、１ｘサービングセル（１ｘアクティブセル）からの１ｘの着信呼出しのチェックを行う（ステップＳ３１）。呼出しのチェックでは、１ｘ着信呼出しの有無をチェックし（ステップＳ３２）、着信呼出しが有れば（ステップＳ３２の有り）、１ｘ  Ｃｏｎｎｅｃｔｅｄ処理に入り、連続ウェイクアップして、音声等の通信状態になる（ステップＳ３３）。
【０１０１】
又、１ｘ  Ｉｄｌｅ  Ｓｔａｔｅ（ステップＳ３）では、当該デュアル無線端末は常に移動しているので、セルリセレクションに対応するための１ｘネイバセルサーチを行う（ステップＳ３４）。１ｘセル情報データベース３１（図１５）には、１ｘ初期捕捉時に１ｘネイバセル情報が登録されているが、１ｘ  Ｉｄｌｅ  Ｓｔａｔｅ時にもセルリセレクションを考慮して１ｘサービングセル（１ｘアクティブセル）から送信されるシステム情報メッセージを受信して、更新する。
【０１０２】
１ｘネイバセルサーチでは、この１ｘセル情報データベース３１に登録されている１ｘネイバセル情報のセルに対して、ネイバサーチを行い、当該デュアル無線端末から見たセルパワーを測定する（ステップＳ３５）。この結果、１ｘセルサーチ結果データベース３１１（図１５）に、セルパワー順にセルのＰＮオフセットを記憶する（ステップＳ３６）。
【０１０３】
以上で、ウェイクアップ１回分の１ｘ待ち受け処理を終了して、スリープ状態になる。１ｘ  Ｉｄｌｅ  Ｓｔａｔｅ（ステップＳ３）は、以降、間欠的に継続して行われる。
【０１０４】
（１ｘＥＶ−ＤＯ初期捕捉の詳細）
図１７は、１ｘ  Ｉｄｌｅ  Ｓｔａｔｅ（ステップＳ３）と併行して行われる１ｘＥＶ−ＤＯ初期捕捉（ステップＳ４）の詳細フローチャートである。デュアル無線端末が電源オンになると、制御部３０は、１ｘＥＶ−ＤＯサービスについては、まず、複数の１ｘＥＶ−ＤＯ基地局から受信した周波数ｆ２ｄｗ（ｆＥＶ１ｄｗ又はｆＥＶ２ｄｗ）の無線信号の合成の受信信号強度を表わすＲＳＳＩの測定を行う。この周波数ｆ２ｄｗは、２つの候補周波数ｆＥＶ１ｄｗおよびｆＥＶ２ｄｗがあり、両方について測定する。ｆＥＶ１ｄｗおよびｆＥＶ２ｄｗいずれのＲＳＳＩも閾値ｔｈ１以下の場合（ステップＳ４１のＮＯ、且つステップＳ４２のＮＯ）は、１ｘＥＶ−ＤＯ圏外処理に入る（ステップＳ８）。
【０１０５】
ｆＥＶ１ｄｗおよびｆＥＶ２ｄｗいずれかのＲＳＳＩが閾値ｔｈ１以上の場合（ステップＳ４１のＹＥＳ、又はステップＳ４２のＹＥＳ）は、次に、Ｓｙｓｔｅｍタイミング確立に入る（ステップＳ４３）。
【０１０６】
Ｓｙｓｔｅｍタイミング確立（ステップＳ４３）では、１ｘＥＶ−ＤＯのシステムタイミング確立動作を行う。１ｘサービスと１ｘＥＶ−ＤＯサービスのシステムタイミングはＧＰＳに同期しており、下りのパイロット信号のシステムタイミングは同じである。従って、１ｘ初期捕捉で確立して（ステップＳ２５）、すでに共通システムタイミング維持部３４内のシステムタイミングカウンタに記憶している１ｘシステムタイミングをそのまま適用すれば、新たに１ｘＥＶ−ＤＯのシステムタイミング確立動作を行う必要はない。このことにより、高速化、信頼性向上を図ることができる。
【０１０７】
次に、１ｘＥＶ−ＤＯサービスをしている基地局のセルサーチを行う（ステップＳ４４）。ここで、１ｘＥＶ−ＤＯサービスをしている基地局は、図３に示した共用セル４０２で説明したように、必ず１ｘサービスも行っている。従って、１ｘ  Ｉｄｌｅ  Ｓｔａｔｅで併行して行われている１ｘネイバセルサーチ結果を利用する。この１ｘネイバセルサーチ結果は、１ｘセルサーチ結果データベース３１１（図１５）に、セルパワー順にセルのＰＮオフセットが記憶されている。
【０１０８】
この１ｘセルのセルパワー順の上位ｎ個のＰＮオフセットについて、１ｘＥＶ−ＤＯサービスのセルサーチを行う（ステップＳ４４）。このＰＮオフセットは、図３に示した共用セル４０２で説明したように、１ｘサービスと１ｘＥＶ−ＤＯサービスは、同じＰＮオフセットである。１ｘセル４０１（図３）のように、１ｘサービスを行うセルがすべて１ｘＥＶ−ＤＯサービスを行うわけではないが、１ｘネイバセルサーチ結果でわかっているデュアル無線端末周辺のセルパワーの大きい１ｘセルに対して、１ｘＥＶ−ＤＯサービスのセルサーチを行うことで、全セルサーチを行う必要がなくて済む。
【０１０９】
１ｘセルサーチ結果データベース３１１の１つが例えばＰＮオフセット「３」だとすると、このセルサーチは、ＰＮ符号位相リング（図５）において、ＰＮオフセット「３」のタイミングを中心にサーチ窓長だけサーチすればよい。サーチ窓長が例えば、１２８チップであれば、１２８チップ分のサーチのみを行えばよい。このことにより、サーチ時間を大幅に短縮することができる。
【０１１０】
この結果、１ｘＥＶ−ＤＯサービスを行うセルパワーが閾値ｔｈ２より大きいセルが見つかる（ステップＳ４５でＹＥＳ）。この中の最もセルパワー大の１ｘＥＶ−ＤＯセルが１ｘＥＶ−ＤＯサービングセル（１ｘＥＶ−ＤＯアクティブセル）となる。
【０１１１】
次に、１ｘＥＶ−ＤＯサービングセル（１ｘＥＶ−ＤＯアクティブセル）から送信される１ｘＥＶ−ＤＯサービングセル（１ｘＥＶ−ＤＯアクティブセル）のセクタパラメータなどのシステム情報を受信する。このシステム情報には、１ｘＥＶ−ＤＯサービングセルの近隣のセル情報である１ｘＥＶ−ＤＯネイバセルリストが含まれている。この１ｘＥＶ−ＤＯネイバセルリストには、１ｘＥＶ−ＤＯネイバセルのＰＮオフセット情報が含まれており、これを１ｘＥＶ−ＤＯセル情報データベース３８（図１５）に記録する（ステップＳ４６）。この１ｘＥＶ−ＤＯネイバセルリストには、現在通信している１ｘＥＶ−ＤＯサービングセル（１ｘＥＶ−ＤＯアクティブセル）も含まれる。そして、１ｘ／１ｘＥＶ−ＤＯ  Ｉｄｌｅ  Ｓｔａｔｅ（ステップＳ５）へ移行する。
【０１１２】
しかし、前述のステップＳ４５で、１ｘＥＶ−ＤＯサービスを行うセルパワーが閾値ｔｈ２より大きいセルが見つからない場合（ステップＳ４５でＮＯ）、１ｘ初期捕捉（図１４）のステップＳ２２と同様に、１ｘＥＶ−ＤＯサービスを行う全セルのＰＮ符号全サーチを行う。全サーチなので、このセルサーチは時間を要する（ステップＳ４７）。
【０１１３】
全サーチの結果、閾値以上のセルパワーのセルが１つもない場合（ステップＳ４８のＮＯ）は、１ｘＥＶ−ＤＯ圏外処理へ移行する（ステップＳ８）。  
閾値以上のセルパワーのセルが有る場合、その中のセルパワー最大のセルを選択し（ステップＳ４８のＹＥＳ）、セルパワー最大のセルを１ｘＥＶ−ＤＯサービングセル（１ｘＥＶ−ＤＯアクティブセル）として、そのセルからシステム情報メッセージを受信する。このシステム情報には、１ｘＥＶ−ＤＯサービングセルの近隣のセル情報である１ｘＥＶ−ＤＯネイバセルリストが含まれている。この１ｘＥＶ−ＤＯネイバセルリストには、１ｘＥＶ−ＤＯネイバセルのＰＮオフセット情報が含まれており、これを１ｘＥＶ−ＤＯセル情報データベース３８（図１５）に記録する（ステップＳ４９）。この１ｘＥＶ−ＤＯネイバセルリストには、現在通信している１ｘＥＶ−ＤＯサービングセル（１ｘＥＶ−ＤＯアクティブセル）も含まれる。以上で１ｘＥＶ−ＤＯ初期捕捉を終了し、１ｘ／１ｘＥＶ−ＤＯ  Ｉｄｌｅ  Ｓｔａｔｅ（ステップＳ５）へ移行する。
【０１１４】
（１ｘＥＶ−ＤＯ  Ｉｄｌｅ  Ｓｔａｔｅの詳細）
図１８は、１ｘＥＶ−ＤＯ  Ｉｄｌｅ  Ｓｔａｔｅ（図１３のステップＳ５）の詳細フローチャートである。１ｘＥＶ−ＤＯ  Ｉｄｌｅ  Ｓｔａｔｅ（ステップＳ５）の時点では、すでに１ｘ  Ｉｄｌｅ  Ｓｔａｔｅ（ステップＳ３）が継続動作中であり、１ｘ／１ｘＥＶ−ＤＯ  Ｉｄｌｅ  Ｓｔａｔｅ（同時待ち受け）（ステップＳ６＝Ｓ３＋Ｓ５）状態となる。この１ｘ／１ｘＥＶ−ＤＯ  Ｉｄｌｅ  Ｓｔａｔｅ（同時待ち受け）（ステップＳ６＝Ｓ３＋Ｓ５）における１ｘＥＶ−ＤＯ  Ｉｄｌｅ  Ｓｔａｔｅ（ステップＳ５）について、以下に説明する。
【０１１５】
１ｘＥＶ−ＤＯ  Ｉｄｌｅ  Ｓｔａｔｅ（ステップＳ５）は、例えば、５．１２秒周期や、５．１２秒の整数倍の２０．４８秒などの周期でウェイクアップ状態となる間欠動作により行う。  
１ｘＥＶ−ＤＯ  Ｉｄｌｅ  Ｓｔａｔｅ（ステップＳ５）では、１ｘＥＶ−ＤＯサービングセル（１ｘＥＶ−ＤＯアクティブセル）からの１ｘＥＶ−ＤＯの着信呼出しのチェックを行う（ステップＳ５１）。着信呼出しのチェックでは、１ｘＥＶ−ＤＯ着信呼出しの有無をチェックし（ステップＳ５２）、着信呼出しが有れば（ステップＳ５２の有り）、１ｘＥＶ−ＤＯ  Ｃｏｎｎｅｃｔｅｄ処理に入り、連続ウェイクアップして、パケットデータ受信状態になる（ステップＳ５３）。
【０１１６】
又、１ｘＥＶ−ＤＯ  Ｉｄｌｅ  Ｓｔａｔｅ（ステップＳ５）では、当該デュアル無線端末は常に移動しているので、セルリセレクションに対応するための１ｘＥＶ−ＤＯネイバセルサーチを行う（ステップＳ５４）。１ｘＥＶ−ＤＯセル情報データベース３８（図１５）には、１ｘＥＶ−ＤＯ初期捕捉時に１ｘＥＶ−ＤＯネイバセル情報が登録されているが、１ｘＥＶ−ＤＯ  Ｉｄｌｅ  Ｓｔａｔｅ時にもセルリセレクションを考慮して１ｘＥＶ−ＤＯサービングセル（１ｘＥＶ−ＤＯアクティブセル）から送信されるシステム情報メッセージを受信して、更新する。
【０１１７】
１ｘＥＶ−ＤＯネイバセルサーチでは、この１ｘＥＶ−ＤＯセル情報データベース３８と、併行して行われている１ｘ  Ｉｄｌｅ  Ｓｔａｔｅ（ステップＳ３）での１ｘネイバセルサーチ結果である１ｘセルサーチ結果データベース３１１（図１５）を利用する。１ｘＥＶ−ＤＯセル情報データベース３８は、１ｘＥＶ−ＤＯサービングセルの近隣の１ｘＥＶ−ＤＯセル情報である。１ｘセルサーチ結果データベース３１１は、当該デュアル無線端末から見た複数の１ｘセルの現在のセルパワー情報である。
【０１１８】
制御部３０は、１ｘセルサーチ結果データベース３１１と１ｘＥＶ−ＤＯセル情報データベース３８の同一のＰＮオフセットのセルを抽出する。例えば、図１５に下線で示したセルＰＮ３、ＰＮ６、ＰＮ９、ＰＮ１１が同一である（ステップＳ５５）。次に、これを１ｘセルサーチ結果データベース３１１のセルパワー順に、１ｘ／１ｘＥＶ−ＤＯ共通セル情報データベース３７（図１５）に記録する。ＰＮ６、ＰＮ９、ＰＮ３、ＰＮ１１の順になる（ステップＳ５６）。
【０１１９】
そして、この１ｘ／１ｘＥＶ−ＤＯ共通セル情報データベース３７の１ｘセルパワー順に、１ｘＥＶ−ＤＯセルサーチを行い、当該デュアル無線端末から見た１ｘＥＶ−ＤＯセルパワーを測定する（ステップＳ５７）。
【０１２０】
このように、早い段階で、より良い１ｘＥＶ−ＤＯセルを見つけることができる。この１ｘＥＶ−ＤＯセルサーチは、１ｘ／１ｘＥＶ−ＤＯ共通セル情報データベース３７に登録されている１ｘセルパワー順のＰＮオフセットやマルチパス情報を活用することにより、短いサーチ窓でサーチが可能となり、１ｘＥＶ−ＤＯネイバセルサーチ時間の短縮が可能となる。これにより、１ｘＥＶ−ＤＯページング受信でウェイクアップ中の１ｘＥＶ−ＤＯネイバセルサーチの時間を短縮し、ウェイクアップ時間を短縮し、電池持ちを向上することができる。
【０１２１】
また、１ｘＥＶ−ＤＯページング受信での１ｘＥＶ−ＤＯネイバセルサーチは、間欠動作が２０．４８秒という長い周期の場合、その間、デュアル無線端末が長距離を移動してしまう恐れがあるが、１ｘページング受信での１ｘネイバセルサーチの５．１２秒周期のセルパワー最新情報により、効率的に行うことができる。
【０１２２】
以上で、ウェイクアップ１回分の１ｘＥＶ−ＤＯ待ち受け処理を終了して、スリープ状態になる。１ｘＥＶ−ＤＯ  Ｉｄｌｅ  Ｓｔａｔｅ（ステップＳ５）は、以降、間欠的に継続して行われる。
【０１２３】
（他の実施例：共用セルで、かつ、共用セルの１ｘサービングセルのセルパワーが、十分大きい場合）
現在サービスしている１ｘサービングセルが１ｘＥＶ−ＤＯサービスも行う共用セル、つまり同一のＰＮオフセットのセルであって、かつ、この１ｘサービングセルのセルパワーが、十分大きい閾値ｔｈ３以上の場合は、共用セルの１ｘＥＶ−ＤＯセルのセルパワーも十分大きい。
【０１２４】
従って、制御部３０は、１ｘ／１ｘＥＶ−ＤＯ共通セル情報データベース３７の１ｘセルパワー順で１ｘＥＶ−ＤＯネイバセルサーチを行うことをせずに、現在の１ｘサービングセルと同じＰＮオフセットの１ｘＥＶ−ＤＯセルのみをセルサーチしてもよい。これにより、更に、１ｘＥＶ−ＤＯネイバセルサーチ時間の短縮が可能となる。
【０１２５】
（１ｘ／１ｘＥＶ−ＤＯ  Ｉｄｌｅ  Ｓｔａｔｅのタイミング）
次に、１ｘ  Ｉｄｌｅ  Ｓｔａｔｅ（ステップＳ３）と１ｘＥＶ−ＤＯ  Ｉｄｌｅ  Ｓｔａｔｅ（ステップＳ５）の同時待ち受け処理が行われる間欠動作タイミングについて説明する。  
図１９は、１ｘ  Ｉｄｌｅ  Ｓｔａｔｅと１ｘＥＶ−ＤＯ  Ｉｄｌｅ  Ｓｔａｔｅの同時待ち受けのタイムチャートである。１ｘページング信号は、５．１２秒周期のタイミングで１ｘセルから送信されており、Ｔ１〜Ｔ５について図示する。デュアル無線端末は、１ｘページングカウンタ４０（図１０）に、このタイミングＴ１〜Ｔ５を記憶しており、１ｘ待ち受け間欠動作に示すように、１ｘページング信号の到来タイミングに合わせて、スリープ状態からウェイクアップ状態になる。そして、ウェイクアップ状態において、１ｘ  Ｉｄｌｅ  Ｓｔａｔｅ（ステップＳ３）の待ち受け処理を行う。
【０１２６】
１ｘＥＶ−ＤＯページング信号は、５．１２秒周期のタイミングで１ｘＥＶ−ＤＯセルから送信されており、Ｔ１１〜Ｔ１５について図示する。デュアル無線端末は、１ｘＥＶ−ＤＯ待ち受け間欠動作「Ａ」に示すように、１ｘＥＶ−ＤＯページング信号と同じタイミングＴ１１〜Ｔ１５でウェイクアップしてもよい。または、１ｘＥＶ−ＤＯ待ち受け間欠動作「Ｂ」に示すように、１ｘＥＶ−ＤＯページング信号周期の整数倍、例えば４倍の周期のタイミングＴ１１とＴ１５でウェイクアップしてもよい。このウェイクアップタイミングは、１ｘＥＶ−ＤＯページングカウンタ４１（図１０）が記憶しており、所定のタイミングでデュアル無線端末はスリープ状態からウェイクアップ状態になる。そして、ウェイクアップ状態において、１ｘＥＶ−ＤＯ  Ｉｄｌｅ  Ｓｔａｔｅ（ステップＳ５）の処理を行う。
【０１２７】
このタイミングにおいて、セルサーチ結果の利用は以下のように行われる。１ｘＥＶ−ＤＯ待ち受け間欠動作「Ａ」の場合、タイミングＴ１における１ｘセルサーチ結果は、タイミングＴ１１での１ｘＥＶ−ＤＯセルサーチで利用される。同様に、Ｔ２はＴ１２で利用され、Ｔ３はＴ１３で利用され、Ｔ４はＴ１４で利用され、Ｔ５はＴ１５で利用される。
【０１２８】
１ｘＥＶ−ＤＯ待ち受け間欠動作「Ｂ」の場合、タイミングＴ１における１ｘセルサーチ結果は、タイミングＴ１１での１ｘＥＶ−ＤＯセルサーチで利用される。Ｔ２〜Ｔ４は利用されない。Ｔ５はＴ１５で利用される。
【０１２９】
（１ｘＥＶ−ＤＯがＣｏｎｎｅｃｔｅｄ中）
図２０は、１ｘＥＶ−ＤＯがＣｏｎｎｅｃｔｅｄ中で、１ｘは１ｘ  Ｉｄｌｅ  Ｓｔａｔｅ状態のタイムチャートである。１ｘＥＶ−ＤＯ  Ｉｄｌｅ  Ｓｔａｔｅにおいて、１ｘＥＶ−ＤＯサービングセル（１ｘＥＶ−ＤＯアクティブセル）から当該デュアル無線端末への着信呼出しがあった場合、１ｘＥＶ−ＤＯは呼接続されてＣｏｎｎｅｃｔｅｄ状態に入り、当該デュアル無線端末は、連続したウェイクアップ状態となって、パケットデータの連続受信状態になる。一方の１ｘはページング待ち受けを行っている場合について以下に説明する。１ｘは間欠動作ではあるが、１ｘＥＶ−ＤＯは連続したウェイクアップ状態となっているので、当該デュアル無線端末としては、全体がウェイクアップ状態である。
【０１３０】
デュアル無線端末は、１ｘＥＶ−ＤＯは呼接続されて連続したＣｏｎｎｅｃｔｅｄ状態に入り、パケットデータを無線周波数ｆ２ｄｗで連続して受信している。この場合、併行して１ｘページングを受信するために、制御部３０は、１ｘページングの受信タイミングにおいて、パケットデータの受信を一旦停止する。そして、無線周波数をｆ１ｄｗに切り換えて、１ｘページングを受信する。
【０１３１】
パケットデータの連続受信状態においては、制御部３０は、１ｘページングに比べて頻繁に１ｘＥＶ−ＤＯセルサーチを行っている。そして、この１ｘＥＶ−ＤＯセルサーチ結果を１ｘＥＶ−ＤＯセルパワー順に１ｘＥＶ−ＤＯセルサーチ結果データベース（図示せず）に記録する。そして、制御部３０は、１ｘＥＶ−ＤＯセルサーチ結果データベースと１ｘセル情報データベース３１の同一のＰＮオフセットのセルを、１ｘ／１ｘＥＶ−ＤＯ共通セル情報データベース３７（図１２）に、１ｘＥＶ−ＤＯセルパワー順に記録する。
【０１３２】
そして、一方の１ｘページングにおける１ｘセルサーチについては、制御部３０は、１ｘ／１ｘＥＶ−ＤＯ共通セル情報データベース３７の１ｘＥＶ−ＤＯセルパワー順に、１ｘセルサーチを行う。このことにより、より早い段階で、より良い１ｘセルを見つけることができる。  
また、この１ｘセルサーチは、１ｘ／１ｘＥＶ−ＤＯ共通セル情報データベース３７に登録されている１ｘＥＶ−ＤＯセルパワー順のＰＮオフセットやマルチパス情報を活用することにより、短いサーチ窓でサーチが可能となり、１ｘセルサーチ時間の短縮が可能となる。
【０１３３】
このことにより、１ｘページング受信での１ｘセルサーチは、５．１２秒という周期であるにも関わらず、頻繁に行われる１ｘＥＶ−ＤＯセルサーチ結果のセルパワー順で、１ｘページングでのウェイクアップ時のセルサーチを行うことにより、１ｘネイバセルサーチ時間の短縮が可能となり、１ｘネイバセルサーチの高速化を行うことができる。
【０１３４】
（１ｘがＣｏｎｎｅｃｔｅｄ中）
次に、１ｘがＣｏｎｎｅｃｔｅｄ中で、１ｘＥＶ−ＤＯは１ｘＥＶ−ＤＯ  Ｉｄｌｅ  Ｓｔａｔｅ状態について説明する。上記した「１ｘＥＶ−ＤＯがＣｏｎｎｅｃｔｅｄ中」と異なる点について説明する。１ｘ  Ｉｄｌｅ  Ｓｔａｔｅにおいて、１ｘサービングセル（１ｘアクティブセル）から当該デュアル無線端末への着信呼出しがあった場合、１ｘは呼接続されてＣｏｎｎｅｃｔｅｄ状態に入り、当該デュアル無線端末は、連続したウェイクアップ状態となって、音声等の連続通信状態になる。一方の１ｘＥＶ−ＤＯはページング待ち受けを行っている。この場合は、１ｘセルサーチが煩雑に行われており、この１ｘセルサーチ結果を、１ｘＥＶ−ＤＯセルサーチで利用する。このことにより、１ｘＥＶ−ＤＯネイバセルサーチの高速化を行うことができる。
【０１３５】
（１ｘＥＶ−ＤＯ圏外処理の詳細）
図２１は、１ｘＥＶ−ＤＯ圏外処理の詳細フローチャートである。１ｘ圏内での１ｘ  Ｉｄｌｅ  Ｓｔａｔｅ（ステップＳ３）と併行処理する１ｘＥＶ−ＤＯ圏外処理（ステップＳ８）について説明する。例えば、デュアル無線端末が、１ｘセル４０１（図３）内に位置している場合などでは、１ｘＥＶ−ＤＯ圏外処理（ステップＳ８）の状態になる。
【０１３６】
この１ｘＥＶ−ＤＯ圏外処理動作（ステップＳ８）は、電池の使用時間をセーブするために数秒周期で間欠的に起動されたウェイクアップ状態で行われる。
【０１３７】
１ｘＥＶ−ＤＯ圏外処理（ステップＳ８）で行う処理は、デュアル無線端末の使用者が１ｘＥＶ−ＤＯ圏内に移動する場合などを考慮して、１ｘＥＶ−ＤＯ初期捕捉動作を行う。この１ｘＥＶ−ＤＯ圏外処理（ステップＳ８）における１ｘＥＶ−ＤＯ初期捕捉は、先に説明した電源オン後の１ｘＥＶ−ＤＯ初期捕捉（図１７。ステップＳ４）とほぼ同じであり、相違点について以下に説明する。
【０１３８】
まず、周波数ｆ２ｄｗ（ｆＥＶ１ｄｗ又はｆＥＶ２ｄｗ）の無線信号のＲＳＳＩを測定し、ｆＥＶ１ｄｗとｆＥＶ２ｄｗのＲＳＳＩが共に閾値ｔｈ１以下（ステップＳ８１のＮＯ、且つステップＳ８２のＮＯ）の場合は、１ｘＥＶ−ＤＯ圏外処理の１回分の間欠処理を終了し、スリープ状態となる（ステップＳ９０）。
【０１３９】
また、ｆＥＶ１ｄｗおよびｆＥＶ２ｄｗいずれかのＲＳＳＩが閾値ｔｈ１以上（ステップＳ８１のＹＥＳ、又はステップＳ８２のＹＥＳ）であっても、ステップＳ８３、Ｓ８４、Ｓ８５、Ｓ８７、Ｓ８８を経由して、セルサーチで閾値以上のセルパワーのセルが見つからない場合（ステップＳ８８のＮＯ）は、同様に１ｘＥＶ−ＤＯ圏外処理の１回分の間欠処理を終了し、スリープ状態となる（ステップＳ９０）。  
そして、間欠動作の次のタイミングの起動によりウェイクアップ状態となって、再び、１ｘＥＶ−ＤＯ圏外処理（ステップＳ８）に入る。
【０１４０】
今、デュアル無線端末が１ｘＥＶ−ＤＯ圏内に移動している場合などでは、ステップＳ８３以降となり、ステップＳ８３で、１ｘタイミングをそのまま利用して、１ｘＥＶ−ＤＯシステムタイミングを確立する。また、ステップＳ８４で、１ｘセルサーチ結果を利用して１ｘＥＶ−ＤＯセルサーチを高速に行うことができる。  
そして、閾値以上のセルパワーが得られると（ステップＳ８５でＹＥＳ）、ステップＳ８６を経て、１ｘＥＶ−ＤＯ  Ｉｄｌｅ  Ｓｔａｔｅ（ステップＳ５）に入る。
【０１４１】
このように、１ｘＥＶ−ＤＯ圏外処理においても、１ｘタイミングの利用や、１ｘセルサーチ結果の利用を行うことにより、１ｘＥＶ−ＤＯ圏外処理のウェイクアップ時間を短縮し、電池の使用時間を延ばすことができる。
【実施例２】
【０１４２】
図２２は、デュアル無線端末（デュアル無線端末２０１やデュアル無線端末２０２）の送信受信部のブロック図である。実施例１のデュアル無線端末（図１０）と異なるところを中心に、デュアル無線端末の実施例２の動作を説明する。
【０１４３】
共通ＲＡＫＥ受信部２３５は、１ｘ／１ｘＥＶ−ＤＯ共用であり、内部は、周知のサーチャ、複数のフィンガ及び合成器などにより構成されて、ＰＮ符号に対応する逆拡散処理やＲＡＫＥ合成を行う。  
共通拡散部２７５は、１ｘ／１ｘＥＶ−ＤＯ共用であり、送信データに対して拡散処理などを行う。
【０１４４】
デュアル無線端末が１ｘのＣｏｎｎｅｃｔｅｄ状態と１ｘＥＶ−ＤＯのＣｏｎｎｅｃｔｅｄ状態を切り換えて行う場合には、この共通ＲＡＫＥ受信部２３５および共通拡散部２７５を１ｘと１ｘＥＶ−ＤＯで共用して使用することができる。このことにより、ＲＡＫＥ受信部は、共通ＲＡＫＥ受信部２３５の１個にすることができる。また、拡散部は、共通拡散部２７５の１個にすることができる。
【図面の簡単な説明】
【０１４５】
【図１】ＣＤＭＡ２０００のネットワーク構成図。
【図２】ＧＰＳ同期システムの説明図。
【図３】１ｘと１ｘＥＶ−ＤＯのセル配置図。
【図４】１ｘセル群と１ｘＥＶ−ＤＯセル群のセル集合関係図。
【図５】ＰＮ符号位相リングの説明図。
【図６】共用セルにおける基地局と無線端末のシステム図。
【図７】本発明のデュアル基地局の１ｘと１ｘＥＶ−ＤＯ用の下り拡散変調部のブロック図。
【図８】本発明のデュアル基地局の１ｘと１ｘＥＶ−ＤＯの周波数スペクトラム。
【図９】基地局が送信するパイロット信号のタイムチャート。
【図１０】本発明の実施例１におけるデュアル無線端末のブロック図。
【図１１】デュアル無線端末のサーチャのブロック図。
【図１２】デュアル無線端末のシステムタイミングカウンタの構成図。
【図１３】本発明のデュアル無線端末のゼネラルフローチャート。
【図１４】デュアル無線端末の１ｘ初期捕捉の詳細フローチャート。
【図１５】本発明のデュアル無線端末のデータベースの説明図。
【図１６】デュアル無線端末の１ｘ  Ｉｄｌｅ  Ｓｔａｔｅの詳細フローチャート。
【図１７】本発明のデュアル無線端末の１ｘＥＶ−ＤＯ初期捕捉の詳細フローチャート。
【図１８】本発明のデュアル無線端末の１ｘＥＶ−ＤＯ  Ｉｄｌｅ  Ｓｔａｔｅの詳細フローチャート。
【図１９】本発明のデュアル無線端末の同時待ち受けのタイムチャート。
【図２０】本発明のデュアル無線端末の１ｘＥＶ−ＤＯがＣｏｎｎｅｃｔｅｄ中で、１ｘ待ち受け中のタイムチャート。
【図２１】本発明のデュアル無線端末の１ｘＥＶ−ＤＯ圏外処理の詳細フローチャート。
【図２２】本発明の実施例２におけるデュアル無線端末のブロック図。
【図２３】従来例１のデュアル無線端末のブロック図。
【図２４】従来例１のデュアル無線端末のゼネラルフローチャート。
【図２５】従来例１のデュアル無線端末の１ｘＥＶ−ＤＯ初期捕捉の詳細フローチャート。
【符号の説明】
【０１４６】
１１  送信データ制御部
１２  複素拡散部
１３、１４  フィルタ
１５  Ｉ／Ｑ変調部
１６  ＲＦ送信部
１７  アンテナ
２１  アンテナ
２２  ＲＦ受信部
２３  １ｘＲＡＫＥ受信部
２３１  乗算器
２３２  積分器
２３３  ２乗回路
２３５  共通ＲＡＫＥ受信部
２４  １ｘＥＶ−ＤＯ  ＲＡＫＥ受信部
２５  復号部
２６  符号化器
２７  １ｘ拡散部
２７５  共通拡散部
２８  １ｘＥＶ−ＤＯ拡散部
２９  ＲＦ送信部
３０  制御部
３１  １ｘセル情報データベース
３１１  １ｘセルサーチ結果データベース
３２  １ｘ制御部
３３  共通システムタイミング管理部
３４  共通システムタイミング維持部
３５  １ｘ受信タイミング設定部
３６  １ｘ送信タイミング設定部
３７  共通セル情報データベース
３８  １ｘＥＶ−ＤＯセル情報データベース
３９  １ｘＥＶ−ＤＯ制御部
４０  １ｘページングカウンタ
４１  １ｘＥＶ−ＤＯページングカウンタ
４２  １ｘＥＶ−ＤＯ受信タイミング設定部
４３  １ｘＥＶ−ＤＯ送信タイミング設定部
１０１  １ｘ基地局
１０２  １ｘＢＳＣ
１０３  ＭＳＣ
１０４  ＰＳＴＮ
１０５  １ｘＥＶ−ＤＯ基地局
１０６  １ｘＥＶ−ＤＯ  ＢＳＣ
１０７  ＰＤＳＮ
１０８  ＩＮＴＥＲＮＥＴ
１０９  デュアル基地局
２０１、２０２  デュアル無線端末
２０３  １ｘ無線端末
２０４  １ｘＥＶ−ＤＯ無線端末
３０１、３０２、３０３  ＧＰＳ
４０１  １ｘセル
４０２  共用セル
５０１  １ｘセル群
５０２  １ｘＥＶ−ＤＯセル群
【図１】
2005260425.tif 000003
【図２】
2005260425.tif 000004
【図３】
2005260425.tif 000005
【図４】
2005260425.tif 000006
【図５】
2005260425.tif 000007
【図６】
2005260425.tif 000008
【図７】
2005260425.tif 000009
【図８】
2005260425.tif 000010
【図９】
2005260425.tif 000011
【図１０】
2005260425.tif 000012
【図１１】
2005260425.tif 000013
【図１２】
2005260425.tif 000014
【図１３】
2005260425.tif 000015
【図１４】
2005260425.tif 000016
【図１５】
2005260425.tif 000017
【図１６】
2005260425.tif 000018
【図１７】
2005260425.tif 000019
【図１８】
2005260425.tif 000020
【図１９】
2005260425.tif 000021
【図２０】
2005260425.tif 000022
【図２１】
2005260425.tif 000023
【図２２】
2005260425.tif 000024
【図２３】
2005260425.tif 000025
【図２４】
2005260425.tif 000026
【図２５】
2005260425.tif 000027